(57)【特許請求の範囲】
【請求項１】
視覚情報を表示する電子黒板であって、
ユーザを認証する認証手段と、
前記認証手段によってユーザの認証が成立した場合に、前記ユーザを識別するためのユーザ識別情報を前記認証手段から取得する識別情報取得手段と、
複数の前記ユーザ識別情報に対応付けて前記視覚情報が記憶される視覚情報記憶手段と、
前記ユーザの認証が成立した場合に前記識別情報取得手段が取得した前記ユーザ識別情報が、前記視覚情報に対応付けられている複数の前記ユーザ識別情報の１つである場合、前記識別情報取得手段が取得した前記ユーザ識別情報に対応付けられている前記視覚情報を読み出す読出手段と、
前記読出手段が読み出した前記視覚情報を表示する表示手段と、
前記ユーザが指定した宛先に対し前記視覚情報を電子メールで送信する電子メール送信手段と、
前記ユーザ識別情報に対応付けられた前記ユーザのメールアドレスが記憶されるメールアドレス記憶手段と、
前記ユーザの認証が成立した場合、前記ユーザ識別情報に基づいて、前記メールアドレス記憶手段に記憶されている前記ユーザのメールアドレスを送信元に設定するメール設定手段と、を有することを特徴とする電子黒板。
【請求項２】
視覚情報を表示する電子黒板であって、
ユーザを認証する認証手段と、
前記認証手段によってユーザの認証が成立した場合に、前記ユーザを識別するためのユーザ識別情報を前記認証手段から取得する識別情報取得手段と、
前記ユーザ識別情報に対応付けて前記視覚情報が記憶される視覚情報記憶手段と、
前記識別情報取得手段が取得した前記ユーザ識別情報に対応付けられている前記視覚情報を前記視覚情報記憶手段から読み出す読出手段と、
前記読出手段が読み出した前記視覚情報を表示する表示手段と、
前記ユーザが指定した宛先に対し前記視覚情報を電子メールで送信する電子メール送信手段と、
前記ユーザ識別情報に対応付けられた前記ユーザのメールアドレスが記憶されるメールアドレス記憶手段と、
前記ユーザの認証が成立した場合、前記ユーザ識別情報に基づいて、前記メールアドレス記憶手段に記憶されている前記ユーザのメールアドレスを送信元に設定するメール設定手段と、を有し、
前記識別情報取得手段は、ＲＦタグリーダで前記ユーザが携帯するＩＣカードと通信することで前記ユーザを認証するための前記ユーザ識別情報を取得し、
前記ユーザの認証が成立した状態で、ＲＦタグリーダが前記ＩＣカードを検出した場合、ユーザをログアウトさせ、
前記ユーザが作成した前記視覚情報を、前記識別情報取得手段が取得した前記ユーザ識別情報に対応付けて前記視覚情報記憶手段に記憶させる保存手段を有する、ことを特徴とする電子黒板。
【請求項３】
視覚情報を表示する電子黒板であって、
ユーザを認証する認証手段と、
前記認証手段によってユーザの認証が成立した場合に、前記ユーザを識別するためのユーザ識別情報を前記認証手段から取得する識別情報取得手段と、
前記ユーザ識別情報に対応付けて前記視覚情報が記憶される視覚情報記憶手段と、
前記識別情報取得手段が取得した前記ユーザ識別情報に対応付けられている前記視覚情報を前記視覚情報記憶手段から読み出す読出手段と、
前記読出手段が読み出した前記視覚情報を表示する表示手段と、
前記ユーザが指定した宛先に対し前記視覚情報を電子メールで送信する電子メール送信手段と、
前記ユーザ識別情報に対応付けられた前記ユーザのメールアドレスが記憶されるメールアドレス記憶手段と、
前記ユーザの認証が成立した場合、前記ユーザ識別情報に基づいて、前記メールアドレス記憶手段に記憶されている前記ユーザのメールアドレスを送信元に設定するとともに、前記宛先が、前記識別情報取得手段が取得した前記ユーザ識別情報に対応付けられている前記ユーザのメールアドレスのみの場合、前記電子黒板のメールアドレスを送信元に設定するメール設定手段と、を有することを特徴とする電子黒板。
【請求項４】
視覚情報を表示する電子黒板であって、
ユーザを認証する認証手段と、
前記認証手段によってユーザの認証が成立した場合に、前記ユーザを識別するためのユーザ識別情報を前記認証手段から取得する識別情報取得手段と、
前記ユーザ識別情報に対応付けて前記視覚情報が記憶される視覚情報記憶手段と、
前記識別情報取得手段が取得した前記ユーザ識別情報に対応付けられている前記視覚情報を前記視覚情報記憶手段から読み出す読出手段と、
前記読出手段が読み出した前記視覚情報を表示する表示手段と、
前記ユーザが指定した宛先に対し前記視覚情報を電子メールで送信する電子メール送信手段と、
前記ユーザ識別情報に対応付けられた前記ユーザのメールアドレスが記憶されるメールアドレス記憶手段と、
前記ユーザの認証が成立した場合、前記ユーザ識別情報に基づいて、前記メールアドレス記憶手段に記憶されている前記ユーザのメールアドレスを送信元に設定するメール設定手段と、を有し、
前記識別情報取得手段が取得した前記ユーザ識別情報に対応付けられている前記ユーザのメールアドレスが存在しない場合、
前記メール設定手段は、前記電子黒板のメールアドレスを送信元に設定するとともに、前記識別情報取得手段が取得した前記ユーザ識別情報に対応付けられている前記ユーザの名称を電子メールの本文又は件名に設定することを特徴とする電子黒板。
【請求項５】
視覚情報を表示する電子黒板であって、
ユーザを認証する認証手段と、
前記認証手段によってユーザの認証が成立した場合に、前記ユーザを識別するためのユーザ識別情報を前記認証手段から取得する識別情報取得手段と、
前記ユーザ識別情報に対応付けて前記視覚情報が記憶される視覚情報記憶手段と、
前記識別情報取得手段が取得した前記ユーザ識別情報に対応付けられている前記視覚情報を前記視覚情報記憶手段から読み出す読出手段と、
前記読出手段が読み出した前記視覚情報を表示する表示手段と、
前記ユーザが指定した宛先に対し前記視覚情報を電子メールで送信する電子メール送信手段と、
前記ユーザ識別情報に対応付けられた前記ユーザのメールアドレスが記憶されるメールアドレス記憶手段と、
前記ユーザの認証が成立した場合、前記ユーザ識別情報に基づいて、前記メールアドレス記憶手段に記憶されている前記ユーザのメールアドレスを送信元に設定するとともに、前記電子黒板のメールアドレスを電子メールの本文又は件名に設定するメール設定手段と、を有することを特徴とする電子黒板。
【請求項６】
前記表示手段が表示した前記視覚情報に対する編集を受け付ける編集受付手段を更に有する請求項１〜５のいずれか１項に記載の電子黒板。
【請求項７】
前記識別情報取得手段は、ＲＦタグリーダで前記ユーザが携帯するＩＣカードと通信することで前記ユーザを認証するための前記ユーザ識別情報を取得する請求項１〜６のいずれか１項に記載の電子黒板。
【請求項８】
視覚情報を表示する電子黒板を、
ユーザを認証する認証手段と、
前記認証手段によってユーザの認証が成立した場合に、前記ユーザを識別するためのユーザ識別情報を前記認証手段から取得する識別情報取得手段と、
複数の前記ユーザ識別情報に対応付けて前記視覚情報が記憶される視覚情報記憶手段と、
前記ユーザの認証が成立した場合に前記識別情報取得手段が取得した前記ユーザ識別情報が、前記視覚情報に対応付けられている複数の前記ユーザ識別情報の１つである場合、前記識別情報取得手段が取得した前記ユーザ識別情報に対応付けられている前記視覚情報を読み出す読出手段と、
前記読出手段が読み出した前記視覚情報を表示する表示手段と、
前記ユーザが指定した宛先に対し前記視覚情報を電子メールで送信する電子メール送信手段と、
前記ユーザ識別情報に対応付けられた前記ユーザのメールアドレスが記憶されるメールアドレス記憶手段と、
前記ユーザの認証が成立した場合、前記ユーザ識別情報に基づいて、前記メールアドレス記憶手段に記憶されている前記ユーザのメールアドレスを送信元に設定するメール設定手段、として機能させるためのプログラム。
【請求項９】
視覚情報を表示する電子黒板を、
ユーザを認証する認証手段と、
前記認証手段によってユーザの認証が成立した場合に、前記ユーザを識別するためのユーザ識別情報を前記認証手段から取得する識別情報取得手段と、
前記ユーザ識別情報に対応付けて前記視覚情報が記憶される視覚情報記憶手段と、
前記識別情報取得手段が取得した前記ユーザ識別情報に対応付けられている前記視覚情報を前記視覚情報記憶手段から読み出す読出手段と、
前記読出手段が読み出した前記視覚情報を表示する表示手段と、
前記ユーザが指定した宛先に対し前記視覚情報を電子メールで送信する電子メール送信手段と、
前記ユーザ識別情報に対応付けられた前記ユーザのメールアドレスが記憶されるメールアドレス記憶手段と、
前記ユーザの認証が成立した場合、前記ユーザ識別情報に基づいて、前記メールアドレス記憶手段に記憶されている前記ユーザのメールアドレスを送信元に設定するメール設定手段、として機能させ、
前記識別情報取得手段は、ＲＦタグリーダで前記ユーザが携帯するＩＣカードと通信することで前記ユーザを認証するための前記ユーザ識別情報を取得し、
前記ユーザの認証が成立した状態で、ＲＦタグリーダが前記ＩＣカードを検出した場合、ユーザをログアウトさせ、
前記ユーザが作成した前記視覚情報を、前記識別情報取得手段が取得した前記ユーザ識別情報に対応付けて前記視覚情報記憶手段に記憶させる保存手段、として機能させることを特徴とするプログラム。
【請求項１０】
視覚情報を表示する電子黒板を、
ユーザを認証する認証手段と、
前記認証手段によってユーザの認証が成立した場合に、前記ユーザを識別するためのユーザ識別情報を前記認証手段から取得する識別情報取得手段と、
前記ユーザ識別情報に対応付けて前記視覚情報が記憶される視覚情報記憶手段と、
前記識別情報取得手段が取得した前記ユーザ識別情報に対応付けられている前記視覚情報を前記視覚情報記憶手段から読み出す読出手段と、
前記読出手段が読み出した前記視覚情報を表示する表示手段と、
前記ユーザが指定した宛先に対し前記視覚情報を電子メールで送信する電子メール送信手段と、
前記ユーザ識別情報に対応付けられた前記ユーザのメールアドレスが記憶されるメールアドレス記憶手段と、
前記ユーザの認証が成立した場合、前記ユーザ識別情報に基づいて、前記メールアドレス記憶手段に記憶されている前記ユーザのメールアドレスを送信元に設定するとともに、前記宛先が、前記識別情報取得手段が取得した前記ユーザ識別情報に対応付けられている前記ユーザのメールアドレスのみの場合、前記電子黒板のメールアドレスを送信元に設定するメール設定手段、として機能させるためのプログラム。
【請求項１１】
視覚情報を表示する電子黒板を、
ユーザを認証する認証手段と、
前記認証手段によってユーザの認証が成立した場合に、前記ユーザを識別するためのユーザ識別情報を前記認証手段から取得する識別情報取得手段と、
前記ユーザ識別情報に対応付けて前記視覚情報が記憶される視覚情報記憶手段と、
前記識別情報取得手段が取得した前記ユーザ識別情報に対応付けられている前記視覚情報を前記視覚情報記憶手段から読み出す読出手段と、
前記読出手段が読み出した前記視覚情報を表示する表示手段と、
前記ユーザが指定した宛先に対し前記視覚情報を電子メールで送信する電子メール送信手段と、
前記ユーザ識別情報に対応付けられた前記ユーザのメールアドレスが記憶されるメールアドレス記憶手段と、
前記ユーザの認証が成立した場合、前記ユーザ識別情報に基づいて、前記メールアドレス記憶手段に記憶されている前記ユーザのメールアドレスを送信元に設定するメール設定手段、として機能させ、
前記識別情報取得手段が取得した前記ユーザ識別情報に対応付けられている前記ユーザのメールアドレスが存在しない場合、
前記メール設定手段は、前記電子黒板のメールアドレスを送信元に設定するとともに、前記識別情報取得手段が取得した前記ユーザ識別情報に対応付けられている前記ユーザの名称を電子メールの本文又は件名に設定することを特徴とするプログラム。
【請求項１２】
視覚情報を表示する電子黒板を、
ユーザを認証する認証手段と、
前記認証手段によってユーザの認証が成立した場合に、前記ユーザを識別するためのユーザ識別情報を前記認証手段から取得する識別情報取得手段と、
前記ユーザ識別情報に対応付けて前記視覚情報が記憶される視覚情報記憶手段と、
前記識別情報取得手段が取得した前記ユーザ識別情報に対応付けられている前記視覚情報を前記視覚情報記憶手段から読み出す読出手段と、
前記読出手段が読み出した前記視覚情報を表示する表示手段と、
前記ユーザが指定した宛先に対し前記視覚情報を電子メールで送信する電子メール送信手段と、
前記ユーザ識別情報に対応付けられた前記ユーザのメールアドレスが記憶されるメールアドレス記憶手段と、
前記ユーザの認証が成立した場合、前記ユーザ識別情報に基づいて、前記メールアドレス記憶手段に記憶されている前記ユーザのメールアドレスを送信元に設定するとともに、前記電子黒板のメールアドレスを電子メールの本文又は件名に設定するメール設定手段、として機能させるためのプログラム。
【請求項１３】
前記電子黒板を、
前記表示手段が表示した前記視覚情報に対する編集を受け付ける編集受付手段として機能させる請求項８〜１２のいずれか１項に記載のプログラム。
【請求項１４】
前記識別情報取得手段は、ＲＦタグリーダで前記ユーザが携帯するＩＣカードと通信することで前記ユーザを認証するための前記ユーザ識別情報を取得する請求項８〜１３のいずれか１項に記載のプログラム。
【請求項１５】
視覚情報を表示する電子黒板が行う表示方法であって、
認証手段が、ユーザを認証するステップと、
前記認証手段によってユーザの認証が成立した場合に、識別情報取得手段が前記ユーザを識別するためのユーザ識別情報を前記認証手段から取得するステップと、
読出手段が、前記識別情報取得手段が取得した前記ユーザ識別情報に対応付けられている前記視覚情報を、前記ユーザ識別情報に対応付けて前記視覚情報が記憶される視覚情報記憶手段から読み出すステップと、
表示手段が、前記読出手段が読み出した前記視覚情報を表示するステップと、
電子メール送信手段が、前記ユーザが指定した宛先に対し前記視覚情報を電子メールで送信するステップと、
前記ユーザの認証が成立した場合、メール設定手段が、前記ユーザ識別情報に基づいて、前記ユーザ識別情報に前記ユーザのメールアドレスが対応付けられているメールアドレス記憶手段に記憶されている前記ユーザのメールアドレスを送信元に設定するとともに、前記電子黒板のメールアドレスを電子メールの本文又は件名に設定するステップと、を有する表示方法。
【請求項１６】
視覚情報を表示する電子黒板と、前記電子黒板と通信可能な情報端末を有する画像処理システムであって、
前記電子黒板は、ユーザを認証する認証手段と、
前記認証手段によってユーザの認証が成立した場合に、前記ユーザを識別するためのユーザ識別情報を前記認証手段から取得する識別情報取得手段と、
前記ユーザ識別情報に対応付けて前記視覚情報が記憶される視覚情報記憶手段と、
前記識別情報取得手段が取得した前記ユーザ識別情報に対応付けられている前記視覚情報を前記視覚情報記憶手段から読み出す読出手段と、
前記読出手段が読み出した前記視覚情報を表示する表示手段と、
前記ユーザが指定した宛先に対し前記視覚情報を電子メールで送信する電子メール送信手段と、
前記ユーザ識別情報に対応付けられた前記ユーザのメールアドレスが記憶されるメールアドレス記憶手段と、
前記ユーザの認証が成立した場合、前記ユーザ識別情報に基づいて、前記メールアドレス記憶手段に記憶されている前記ユーザのメールアドレスを送信元に設定するとともに、前記電子黒板のメールアドレスを電子メールの本文又は件名に設定するメール設定手段と、を有し、
前記情報端末は、
前記電子メールを受信する受信手段と、
前記受信手段で受信した前記電子メールを表示する第２の表示手段と、を有する画像処理システム。
【発明の詳細な説明】
【技術分野】
【０００１】
本発明は、電子黒板、プログラム、データ表示方法及びデータ表示システムに関する。
【背景技術】
【０００２】
大型のフラットパネルディスプレイにタッチパネルを搭載した電子黒板が知られている。電子黒板は黒板の役割をする画面をフラットパネルディスプレイに表示し、タッチパネルを介して電子ペンや指などの軌跡を取り込んで、軌跡を手書きデータ（以下、手書きデータを視覚情報という）としてフラットパネルディスプレイの画面に描画する。したがって、ユーザは画面を黒板のように使用することができる。また、ＰＣ(Personal Computer)と接続することができる電子黒板では、ＰＣと同じ画面をフラットパネルディスプレイに表示して視覚情報を表示画像に重畳して描画したり、電子黒板がタッチパネルから入力された情報に基づいてＰＣを操作したりすることができる。
【０００３】
このような電子黒板は会議など多人数が集まる状況で使用される場合が多いため、従来、ユーザを認証する機能を備える必要性が少なかった。すなわち、不特定のユーザが使用するＰＣのように個人の情報が電子黒板に蓄積されることが少なく、また、使用者を特定したいという要請よりも認証なしに電子黒板が使用できるという利便性の方が優先されていた。しかしながら、ネットワークに接続された状態で電子黒板が使用される状況が多くなると、ユーザがネットワーク上のリソースへアクセスする権限を有するかどうかを電子黒板の認証機能により判定する必要性が増してきた。
【０００４】
このような不特定のユーザが使用する電子黒板以外の機器としてはプリンタなどの画像形成装置が知られている。また、画像形成装置には従来からユーザを認証する認証機能を備えるものが知られている（例えば、特許文献１参照。）。特許文献１には、ログインが受け付けられた利用者に応じた設定が自動的に反映される画像形成装置が開示されている。
【発明の概要】
【発明が解決しようとする課題】
【０００５】
しかしながら、画像形成装置を含め不特定のユーザが使用する機器においては、ユーザが作成したデータをユーザと対応付けることが考慮されていないという問題があった。電子黒板では以前の会議でユーザが表示させていたデータを次回の会議で再度使用する状況が少なくない。このため、従来では、ユーザが電子黒板に書き込んだ視覚情報等をユーザが任意に付与した番号と共に保存させておくことができる。しかし、他のユーザは一度使用した番号と同じ番号を視覚情報に付与することができるため、視覚情報を再生しようとユーザが電子黒板に番号を入力すると同じ番号が付与された他のユーザの視覚情報も表示されてしまうという不都合が生じてしまっていた。また、ユーザは番号を覚えておかなければならないという面倒な面もある。
【０００６】
さらに、会議の議事録としてユーザが表示させていた視覚情報を電子黒板のメール送信機能を利用して、ユーザが指定する送信先に電子メールを送信することができる。この際、電子黒板が電子メールを送信するため、電子メールの送信元のメールアドレスは電子黒板のものが設定されている。したがって、電子メールを受信した受信者は電子黒板からの電子メールであることを判断できても、誰が送信したのかを判断できない。このため、電子メールを受信した受信者は、送信したユーザを特定することができなかったり、電子メールに添付された視覚情報について誰に相談すればよいか判断がしにくいといった不都合がある。
【０００７】
本発明は、上記課題に鑑み、ユーザと対応付けられている視覚情報を表示でき、視覚情報の送信元を受信者が判断できる電子黒板を提供することを目的とする。
【課題を解決するための手段】
【０００８】
上記課題に鑑み、本発明は、視覚情報を表示する電子黒板であって、ユーザを認証する認証手段と、前記認証手段によってユーザの認証が成立した場合に、前記ユーザを識別するためのユーザ識別情報を前記認証手段から取得する識別情報取得手段と、複数の前記ユーザ識別情報に対応付けて前記視覚情報が記憶される視覚情報記憶手段と、前記ユーザの認証が成立した場合に前記識別情報取得手段が取得した前記ユーザ識別情報が、前記視覚情報に対応付けられている複数の前記ユーザ識別情報の１つである場合、前記識別情報取得手段が取得した前記ユーザ識別情報に対応付けられている前記視覚情報を読み出す読出手段と、前記読出手段が読み出した前記視覚情報を表示する表示手段と、前記ユーザが指定した宛先に対し前記視覚情報を電子メールで送信する電子メール送信手段と、前記ユーザ識別情報に対応付けられた前記ユーザのメールアドレスが記憶されるメールアドレス記憶手段と、前記ユーザの認証が成立した場合、前記ユーザ識別情報に基づいて、前記メールアドレス記憶手段に記憶されている前記ユーザのメールアドレスを送信元に設定するメール設定手段と、を有することを特徴とする。
【発明の効果】
【０００９】
ユーザと対応付けられている視覚情報を表示することができ、視覚情報の送信元を受信者が判断できる電子黒板を提供することができる。
【図面の簡単な説明】
【００１０】
【図１】本実施形態の電子黒板によるデータの管理方法を模式的に説明する図の一例である。
【図２】本実施形態の画像処理システムの全体構成図の一例である。
【図３】電子黒板のハードウェア構成図の一例である。
【図４】電子黒板の機能ブロック図の一例である。
【図５】ファイル処理部の機能ブロック図の一例である。
【図６】各画像レイヤの構成図の一例である。
【図７】各電子黒板の処理を示したシーケンス図の一例である。
【図８】各電子黒板の処理を示したシーケンス図の一例である。
【図９】アカウントサーバのハードウェア構成図の一例である。
【図１０】電子黒板とアカウントサーバの機能ブロック図の一例である。
【図１１】ディスプレイに表示される認証画面の一例を示す図である。
【図１２】電子黒板がＩＣカードを検出してユーザを認証する手順を示すフローチャート図の一例である。
【図１３】ユーザがログアウトする手順を示すフローチャート図の一例である。
【図１４】電子黒板がユーザの認証後にページデータを再生する手順を示すフローチャート図の一例である。
【図１５】ディスプレイに表示される再生確認画面の一例を示す図である。
【図１６】ディスプレイに表示されるユーザＩＤ登録画面の一例を示す図である。
【図１７】ディスプレイに表示される電子メール設定画面の一例を示す図である。
【図１８】電子メールの送信の際の電子黒板の動作の概略を説明する図の一例である。
【図１９】電子黒板の機能ブロック図の一例である。
【図２０】電子メールの送信画面の一例を示す図である。
【図２１】電子メールの送信元のメールアドレスを電子黒板が置き換える手順を示すフローチャート図の一例である。
【図２２】電子メールの受信者のユーザＰＣが表示する電子メールの送信元を示す図の一例である。
【図２３】電子メールの送信画面の一例を示す図である。
【図２４】電子メールの送信元のメールアドレスを置き換える手順を示すフローチャート図の一例である（変形例１）。
【図２５】電子メールの送信元のメールアドレスを置き換える手順を示すフローチャート図の一例である（変形例２）。
【図２６】電子メールの送信元のメールアドレスを置き換える手順を示すフローチャート図の一例である（変形例３）。
【図２７】件名にユーザ名又は電子黒板のメールアドレスが設定された電子メールを示す図の一例である。
【発明を実施するための形態】
【００１１】
以下、本発明を実施するための形態について図面を参照しながら説明する。
【００１２】
本実施形態の電子黒板は、ユーザが電子黒板に手書きしたデータ（以下、本実施形態においてストローク画像という）をノートＰＣ６等からの出力画像と共に、ユーザのユーザＩＤと対応付けて記憶する。なお、ストローク画像と出力画像をページデータという。これにより、継続性があるページデータをユーザが再度表示したり、加筆又は修正したりすることができる。例えば、会議の終了時刻になっても会議の内容がまとまらない場合、電子黒板は次回の会議でページデータを再度表示することができるので、会議の再開に伴ってユーザはページデータに加筆したり修正したりすることができる。会議以外の例えば学校の授業で電子黒板が使用される場合も、同じ科目の次回の授業で教師がページデータを再度表示し、加筆又は修正することができる。このような使用方法を実現するため、本実施形態の電子黒板は以下のようにしてページデータとユーザとを対応付ける。
【００１３】
図１は、本実施形態の電子黒板によるデータの管理方法を模式的に説明する図の一例である。
【００１４】
本実施形態の電子黒板２はＲＦタグリーダ１１７を有する。電子黒板２はネットワークを介してアカウントサーバ１１と接続される。
（１）ユーザは携帯するＩＣカード１３０を電子黒板２が有するＲＦタグリーダ１１７にかざす（図１（ａ））。これにより、アカウントサーバ１１がユーザを認証し電子黒板２は少なくともユーザのユーザＩＤを取得することができる。
（２）ユーザは電子黒板２にページデータを手書きする（図１（ｂ））。図１では「ＡＢ」という文字が手書きされている。
（３）ユーザは任意のタイミングで電子黒板２からログアウトできるが、ユーザがログアウト又は電源がＯＦＦされた時点で電子黒板２はユーザＩＤとページデータを対応付けて保持する（図１（ｃ））。
（４）次回、ユーザがＩＣカード１３０をＲＦタグリーダ１１７にかざすと、電子黒板２は（１）の認証を行うと共に、ＩＣカード１３０からユーザＩＤを取得するので、電子黒板２に保持されるユーザＩＤに対応付いたページデータを電子黒板２から読み出してディスプレイに表示することができる（図１（ｄ））。したがって、ユーザは電子黒板２のディスプレイに表示される「ＡＢ」に続いて文字等を加筆したり修正したりすることができる。
【００１５】
電子黒板２は不特定多数により使用されるものであるが、本実施形態の電子黒板２はユーザを認証することで、認証結果を利用してユーザが作成したストローク画像を含むページデータをユーザと対応付けておくことができる。次回の認証時にディスプレイにはユーザが作成したページデータが表示されるので、前回、中断した作業を再開することができる。
【００１６】
＜用語について＞
視覚情報とは、人が視認できる情報をいう。情報には意味がなくてもよいが、多くの場合は文字や図形など当人にとっては有効性がある情報をいう。本実施形態では視覚情報の一例として、ストローク画像を例に説明する。上記のようにストローク画像がユーザＩＤと対応付けて保存される際、ストローク画像と後述する出力画像（Ｃ）とがまとめて保存され、まとめられたデータがページデータと呼ばれる。このため、本実施形態ではページデータとユーザＩＤが対応付けられて保存される実施例が説明されている。
【００１７】
ユーザの認証とは、電子黒板２を使用する権限をユーザが有することを電子黒板２等が確認することをいう。確認できた場合を認証が成立するといい、そうでない場合を認証が成立しない（不成立）であるという。認証が成立するとユーザは電子黒板２にログインできる。このため、認証は、ユーザから見ると電子黒板２にログインする又はログインのための操作を行うことであると表現できる。
【００１８】
対応付けとは、ユーザ又はページデータのいずれか一方が特定されれば他方が特定される状態でユーザとページデータが関連付けられていることをいう。
【００１９】
ユーザ識別情報とは、電子黒板２がユーザを一意に識別するための識別情報である。具体的には重複しない番号、部署名と番号の組み合わせ、氏名、メールアドレス、電話番号などであるがこれらに限られない。また、識別情報とは、複数の対象からある特定の対象を一意的に区別するために用いられる名称、符号、文字列、数値又はこれらの組み合わせをいう。以下の識別情報においても同様である。
【００２０】
＜システムの概要＞
図２は、本実施形態の画像処理システム１の全体構成図である。なお、図２では、説明を簡略化するために、２台の電子黒板２ａ，２ｂ及びこれに付随する電子ペン４ａ，４ｂ等を示しているだけであって、３台以上の電子黒板や電子ペン等を利用してもよい。
図２に示されているように、画像処理システム１は、複数の電子黒板２ａ，２ｂ、複数の電子ペン４ａ，４ｂ、ＵＳＢメモリ５ａ，５ｂ、ノートＰＣ(Personal Computer)６ａ，６ｂ、テレビ（ビデオ）会議端末７ａ，７ｂ、アカウントサーバ１１及びＰＣ８を有する。また、電子黒板２ａ，２ｂ、及びＰＣ８は、通信ネットワーク９を介して通信可能に接続されている。更に、複数の電子黒板２ａ，２ｂには、それぞれディスプレイ３ａ，３ｂが設けられている。 
まず、アカウントサーバ１１は電子黒板２のユーザを認証する情報処理装置である。アカウントサーバ１１はユーザが携帯するＩＣカードのカード情報を有しており、電子黒板２のＲＦタグリーダ１１７が読み取ったＩＣカードのカード情報と一致するカード情報がアカウントサーバ１１に登録されているか否かを判定する。アカウントサーバ１１にカード情報が登録されている場合、ユーザの認証が成立したと判定し、それ以外では認証が成立しないと判定する。なお、アカウントサーバ１１はＩＣカードを用いるのでなく、ユーザ名とパスワード等でユーザを認証してもよい。
【００２１】
また、電子黒板２ａには、電子ペン４ａによって生じたイベント（ディスプレイ３ａに電子ペン４ａのペン先、又は、電子ペン４ａのペン尻のタッチ）による描画された画像を、ディスプレイ３ａに表示させることができる。なお、電子ペン４ａだけでなく、ユーザの手Ｈａ等によって生じたイベント（拡大、縮小、ページめくり等のジェスチャ）に基づいて、ディスプレイ３ａ上に表示されている画像を変更させることもできる。イベントにより、電子ペン４ａ又は手Ｈａなどが指示する位置情報が電子黒板２ａに入力される。
【００２２】
また、電子黒板２ａには、ＵＳＢメモリ５ａが接続可能であり、電子黒板２ａはＵＳＢメモリ５ａからＰＤＦ（Portable Document Format）等の電子ファイルを読み出したり、電子黒板２ａはＵＳＢメモリ５ａに電子ファイルを記録したりすることができる。また、電子黒板２ａには、DisplayPort（登録商標）、DVI(Digital Visual Interface)、HDMI(登録商標。High-Definition Multimedia Interface)及びVGA(Video Graphics Array)等の規格による通信が可能なケーブル１０ａ１を介して、ノートＰＣ６ａが接続されている。そして、電子黒板２ａは、ディスプレイ３ａに対する接触によってイベントを発生させ、このイベントを示すイベント情報を、マウスやキーボード等の入力装置からのイベントと同様に、ノートＰＣ６ａに送信することでノートＰＣ６ａを制御することができる。同じく、電子黒板２ａには、上記規格による通信が可能なケーブル１０ａ２を介して、テレビ（ビデオ）会議端末７ａが接続されている。なお、ノートＰＣ６ａ、及びテレビ会議端末７ａは、Bluetooth（登録商標）等の各種無線通信プロトコルに準拠した無線通信により、電子黒板２ａと通信してもよい。
【００２３】
一方、電子黒板２ｂが設置されている他の拠点では、上記と同様に、ディスプレイ３ｂを備えた電子黒板２ｂ、電子ペン４ｂ、ＵＳＢメモリ５ｂ、ノートＰＣ６ｂ、テレビ会議端末７ｂ、ケーブル１０ｂ１、ケーブル１０ｂ２が利用される。更に、ユーザの手Ｈｂ等によって生じたイベントに基づいて、ディスプレイ３ｂ上に表示されている画像を変更させることもできる。
【００２４】
これにより、一の拠点で電子黒板２ａのディスプレイ３ａ上に描画された画像は、他の拠点で電子黒板２ｂのディスプレイ３ｂ上にも表示され、逆に他の拠点で電子黒板２ｂのディスプレイ３ｂ上に描画された画像は、一の拠点で電子黒板２ａのディスプレイ３ａ上に表示される。このように、画像処理システム１では、遠隔地において同じ画像を共有する遠隔共有処理を行うことができるため、遠隔地での会議等に用いると、非常に便利である。
【００２５】
なお、以下では、複数の電子黒板のうち任意の電子黒板を示す場合には「電子黒板２」と示す。複数のディスプレイのうち任意のディスプレイを示す場合には「ディスプレイ３」と示す。複数の電子ペンのうち任意の電子ペンを示す場合には「電子ペン４」と示す。複数のＵＳＢメモリのうち任意のＵＳＢメモリを示す場合には「ＵＳＢメモリ５」と示す。複数のノートＰＣのうち任意のノートＰＣを示す場合には「ノートＰＣ６」と示す。複数のテレビ会議端末のうち任意のテレビ会議端末を示す場合には「テレビ会議端末７」と示す。また、複数のユーザの手のうち任意の手を示す場合には「手Ｈ」と示す。複数のケーブルのうち任意のケーブルを示す場合には「ケーブル１０」と示す。
【００２６】
また、本実施形態では、画像処理装置の一例として、電子黒板を説明するが、これに限るものではなく、画像処理装置の他の例として、電子看板（デジタルサイネージ）、スポーツや天気予報等で利用されるテレストレータ、又は、遠隔画像（映像）診断装置等であってもよい。また、情報処理端末の一例として、ノートＰＣ６を説明するが、これに限るものではなく、情報処理端末の他の例として、デスクトップ型ＰＣやタブレット型ＰＣ、ＰＤＡ、デジタルビデオカメラ、デジタルカメラ、ゲーム機等の画像フレームを供給可能な端末であってもよい。更に、通信ネットワークには、インターネット、ＬＡＮ(Local Area Network)、携帯電話通信網等が含まれる。また、本実施形態では、記録媒体の一例として、ＵＳＢメモリを説明するが、これに限るものではなく、記録媒体の他の例として、ＳＤカード等の各種記録メディアであってもよい。
【００２７】
＜電子黒板のハードウェア構成＞
続いて、図３を用いて、本実施形態の電子黒板のハードウェア構成を説明する。なお、図３は、電子黒板のハードウェア構成図である。
【００２８】
図３に示されているように、電子黒板２は、電子黒板２全体の動作を制御するＣＰＵ（Central Processing Unit）１０１、ＩＰＬ（Initial Program Loder） 等のＣＰＵ１０１の駆動に用いられるプログラムを記憶したＲＯＭ（Read Only Memory）１０２、ＣＰＵ１０１のワークエリアとして使用されるＲＡＭ（Random Access Memory）１０３、電子黒板２用のプログラム等の各種データを記憶するＳＳＤ（Solid State Drive）１０４、通信ネットワーク９との通信を制御するネットワークコントローラ１０５、及び、ＵＳＢメモリ５との通信を制御する外部記憶コントローラ１０６を備えている。
【００２９】
また、電子黒板２は、ノートＰＣ６のディスプレイに対して映像情報を静止画又は動画として表示させるキャプチャデバイス１１１、グラフィクスを専門に扱うＧＰＵ(Graphics Processing Unit)１１２、及び、ＧＰＵからの出力画像をディスプレイ３やテレビ会議端末７へ出力するために画面表示の制御及び管理を行うディスプレイコントローラ１１３を備えている。
【００３０】
更に、電子黒板２は、接触センサ１１５の処理を制御するセンサコントローラ１１４、ディスプレイ３上に電子ペン４やユーザの手Ｈ等が接触したことを検知する接触センサ１１５を備えている。この接触センサ１１５は、赤外線遮断方式による座標（すなわち、位置情報）の入力及び座標の検出を行う。この座標の入力及び座標の検出する方法は、ディスプレイ３の上側両端部に設置された２つ受発光装置が、ディスプレイ３に平行して複数の赤外線を放射し、ディスプレイ３の周囲に設けられた反射部材によって反射されて、受光素子が放射した光の光路と同一の光路上を戻って来る光を受光する方法である。接触センサ１１５は、物体によって遮断された２つの受発光装置が放射した赤外線のＩＤ(Identification)をセンサコントローラ１１４に出力し、センサコントローラ１１４が、物体の接触位置である座標位置を特定する。なお、以下に示す全ての各ＩＤは、識別情報の一例である。
【００３１】
また、接触センサ１１５としては、赤外線遮断方式に限らず、静電容量の変化を検知することにより接触位置を特定する静電容量方式のタッチパネル、対向する２つの抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の入力手段を用いてもよい。
【００３２】
また、電子黒板２は、電子ペンコントローラ１１６を備えている。この電子ペンコントローラ１１６は、電子ペン４と通信することで、ディスプレイ３へのペン先のタッチやペン尻のタッチの有無を判定する。なお、電子ペンコントローラ１１６が、電子ペン４のペン先及びペン尻だけでなく、電子ペン４のユーザが握る部分や、その他の電子ペンの部分のタッチの有無を判定するようにしてもよい。
【００３３】
また、電子黒板２は、ＲＦタグリーダ１１７を備えている。ＲＦタグリーダ１１７はＩＣカード１３０に埋め込まれたＲＦタグからＩＣカード１３０に固有のカード情報を無線通信で読み取る。ＲＦタグリーダ１１７は電子黒板２が内蔵する他、電子黒板２に外付けされていてもよい。この場合、例えば外部記憶コントローラ１０６にＲＦタグリーダ１１７が接続されるが、ネットワークコントローラ１０５に接続されてもよいし、無線で接続されてもよい。また、ＩＣカード１３０はスマートフォンなどのスマートデバイスが内蔵するものでもよい。
【００３４】
ＲＦタグリーダ１１７はユーザを電子黒板２が認証するために使用されるので、ＲＦタグリーダ１１７の代わりに又はＲＦタグリーダ１１７と共にユーザを識別する識別装置を有していてもよい。このような識別装置として生体認証装置（指紋、掌紋、虹彩、顔など）が知られている。
【００３５】
ＲＦタグリーダ１１７を用いずに電子黒板２がユーザを認証してもよい。例えば、パスワードとユーザ名（ユーザＩＤでもよい）の組み合わせでユーザが認証される場合、ＲＦタグリーダ１１７はなくてもよい。この場合、ユーザはタッチパネルからパスワードとユーザ名を入力する。
【００３６】
また、ユーザがスマートフォンなどのスマートデバイスに表示したバーコードや二次元バーコードを電子黒板２に読み取らせてカード情報の代替情報としたり、パスワードとユーザ名を入力してもよい。この場合、電子黒板２はカメラでバーコード等を読み取る。
【００３７】
更に、電子黒板２は、ＣＰＵ１０１、ＲＯＭ１０２、ＲＡＭ１０３、ＳＳＤ１０４、ネットワークコントローラ１０５、外部記憶コントローラ１０６、キャプチャデバイス１１１、ＧＰＵ１１２、センサコントローラ１１４、及び電子ペンコントローラ１１６を、図２に示されているように電気的に接続するためのアドレスバスやデータバス等のバスライン１２０を備えている。
【００３８】
なお、電子黒板２用のプログラムは、ＣＤ−ＲＯＭ等のコンピュータで読み取り可能な記録媒体に記録して流通させるようにしてもよい。
【００３９】
＜電子黒板の機能構成＞
続いて、図４〜図６を用いて、電子黒板の機能構成について説明する。なお、先ずは、図４を用いて、電子黒板２の全体的な機能構成について説明する。図４は、電子黒板の機能ブロック図である。
【００４０】
電子黒板２は、図３に示されているハードウェア構成及びプログラムによって、図４に示されている各機能構成を有する。電子黒板２は、最初に遠隔共有処理を開始する「主催装置」となり得ると共に、既に開始されている遠隔共有処理に後から参加する「参加装置」にもなり得る。また、電子黒板２は、大きく分けて、クライアント部２０及びサーバ部９０の両方によって構成されている。クライアント部２０及びサーバ部９０は、電子黒板２の１台の筐体内で実現される機能である。そして、電子黒板２が主催装置となる場合には、この電子黒板２では、クライアント部２０とサーバ部９０とによって遠隔共有処理が実現される。また、電子黒板２が参加装置となる場合には、参加装置の電子黒板２では、クライアント部２０が稼動して参加装置としての機能を提供するが、サーバ部９０は稼動しない。即ち、図２において、電子黒板２ａが主催装置で、電子黒板２ｂが参加装置となる場合、電子黒板２ａのクライアント部２０は、同じ電子黒板２ａ内に実現されたサーバ部９０を介して、他の電子黒板２ｂのクライアント部２０と通信を行う。一方、電子黒板２ｂのクライアント部２０は、他の電子黒板２ａ内に実現されたサーバ部９０を介して、他の電子黒板２ａのクライアント部と通信を行う。
【００４１】
〔クライアント部２０の機能構成〕
続いて、主に図４から図６を用いて、クライアント部２０の機能構成について説明する。クライアント部２０は、映像取得部２１、座標検知部２２、自動調整部２３、接触検知部２４、イベント振分部２５、操作処理部２６、ジェスチャ処理部２７、映像重畳部２８、画像処理部３０、及び通信制御部６０を有する。
【００４２】
このうち、映像取得部２１は、ケーブル１０に接続された映像出力機器（ノートＰＣ６等）の出力画像を取得する。映像取得部２１は、映像出力機器（ノートＰＣ６等）から画像信号を受信すると、この画像信号を解析して、この画像信号によって形成される映像出力機器（ノートＰＣ６等）の表示画像である画像フレームの解像度や、この画像フレームの更新頻度などの画像情報を導出し、画像取得部３１に出力する。
【００４３】
座標検知部２２は、ディスプレイ３（表示部２９）上でユーザによって生じたイベント（ディスプレイ３上にユーザの手Ｈがタッチされた動作等）の座標位置を検出する。また、座標検知部２２は、タッチされた面積も検出する。
【００４４】
自動調整部２３は、電子黒板２の起動時（再起動時と表現してもよい）に起動され、座標検知部２２が適切な値を出力できるように、光センサ方式により座標を検知する座標検知部２２がセンサーカメラの画像を処理する際のパラメータを調整する。
【００４５】
接触検知部２４は、ユーザによって生じたイベント（ディスプレイ３上に電子ペン４のペン先又は電子ペン４のペン尻が押下（タッチ）された動作等）を検出する。
【００４６】
イベント振分部２５は、座標検知部２２によって検知されたイベントの座標位置と接触検知部２４によって検出された検出結果を、ストローク描画、ＵＩ操作、及びジェスチャ操作の各イベントに振り分ける。ここで、「ストローク描画」は、ディスプレイ３上に図６に示されている後述のストローク画像（Ｂ）が表示されている場合に、ユーザがディスプレイ３上で電子ペン４を押下し、この押下した状態で電子ペン４を移動させ、最終的にディスプレイ３上から電子ペン４を離すまでのイベントである。このストローク描画により、例えば、アルファベット「Ｓ」や「Ｔ」等がディスプレイ３上に描画される。なお、この「ストローク描画」には、画像を描画するだけでなく、既に描画された画像を削除したり、描画された画像を編集したりするイベントも含まれる。
【００４７】
「ＵＩ操作」は、ディスプレイ３上に図６に示されている後述のＵＩ画像（Ａ）が表示されている場合に、ユーザが電子ペン４又は手Ｈによって所定の位置を押下したイベントである。このＵＩ操作により、例えば、電子ペン４により描画される線の色や幅等が設定される。
【００４８】
「ジェスチャ操作」は、ディスプレイ３上に図６に示されている後述のストローク画像（Ｂ）が表示されている場合に、ユーザが手Ｈでディスプレイ３上をタッチしたり移動させたりするイベントである。このジェスチャ操作により、例えば、ユーザがディスプレイ３に手Ｈをタッチさせた状態で手Ｈを移動させることで、画像の拡大（若しくは縮小）、表示領域の変更、又は、ページ切り換え等を行うことができる。
【００４９】
操作処理部２６は、イベント振分部２５によってＵＩ操作と判定されたものから、イベントが発生されたＵＩの要素にしたがって、各種操作を実行する。このＵＩの要素としては、例えば、ボタン、リスト、チェックボックス、テキストボックスが挙げられる。ジェスチャ処理部２７は、イベント振分部２５によってジェスチャ操作と判定されたものに対応した操作を実行する。
【００５０】
映像重畳部２８は、後述の表示重畳部３６で重畳された画像を映像として表示部２９に対して表示する。表示部２９はディスプレイ３により実現される表示機能を示す。また、映像重畳部２８は、映像出力機器（ノートＰＣ６等）からの映像に対して、他の映像出力機器（テレビ会議端末７等）から送られて来た映像をピクチャーインピクチャーする。更に、映像重畳部２８は、ピクチャーインピクチャーされて表示部２９の一部に表示された映像を、表示部２９の全体に表示させるための切り替えを行う。
【００５１】
画像処理部３０は、図６に示されているような各画像レイヤの重畳処理等を行う。この画像処理部３０は、画像取得部３１、ストローク処理部３２、ＵＩ画像生成部３３、背景生成部３４、レイアウト管理部３５、表示重畳部３６、ページ処理部３７、ファイル処理部４０、ページデータ記憶部３００、及び遠隔ライセンス管理テーブル３１０を有している。
【００５２】
このうち、画像取得部３１は、映像取得部２１で取得された映像から、各フレームを画像として取得する。画像取得部３１は、この画像のデータを、ページ処理部３７に出力する。この画像は、図６に示されている映像出力機器（ノートＰＣ６等）からの出力画像（Ｃ）に相当する。
【００５３】
ストローク処理部３２は、イベント振分部２５によって割り振られたストローク描画に係るイベントに基づいて、画像を描画したり、描画された画像を削除したり、描画された画像を編集する。このストローク描画による画像は、図６に示されているストローク画像（Ｂ）に相当する。また、このストローク描画に基づいた画像の描画、削除、編集の各結果は、後述の操作データとして、データ管理部８０に記憶される。
【００５４】
ＵＩ画像生成部３３は、電子黒板２に予め設定されているＵＩ（ユーザインターフェース）画像を生成する。このＵＩ画像は、図６に示されているＵＩ画像（Ａ）に相当する。
背景生成部３４は、ページ処理部３７がページデータ記憶部３００から読み出したページデータのうちのメディアデータを、ページ処理部３７から受信する。背景生成部３４は、この受信したメディアデータを表示重畳部３６に出力する。また、このメディアデータによる画像は、図６に示されている背景画像（Ｄ）に相当する。背景画像（Ｄ）のパターンは、無地、グリッド表示等である。
【００５５】
レイアウト管理部３５は、表示重畳部３６に対して、画像取得部３１、ストローク処理部３２、及びＵＩ画像生成部３３（又は背景生成部３４）から出力された各画像のレイアウトを示すレイアウト情報を管理している。これにより、レイアウト管理部３５は、表示重畳部３６に対して、出力画像（Ｃ）及びストローク画像（Ｂ）を、ＵＩ画像（Ａ）及び背景画像（Ｄ）中のどの位置に表示させるか又は非表示にさせるかを指示することができる。
【００５６】
表示重畳部３６は、レイアウト管理部３５から出力されたレイアウト情報に基づき、画像取得部３１、ストローク処理部３２、及びＵＩ画像生成部３３（背景生成部３４）から出力された各画像のレイアウトを行う。
【００５７】
ページ処理部３７は、ストローク画像（Ｂ）のデータと出力画像（Ｃ）のデータを、１つのページデータにまとめてページデータ記憶部３００に記憶する。ストローク画像（Ｂ）のデータは、図６に示されているストローク配列データＩＤで示されるストローク配列データ（各ストロークデータ）として、ページデータの一部を成す。出力画像（Ｃ）のデータは、図６に示されているメディアデータＩＤで示されているメディアデータとして、ページデータの一部を成す。そして、このメディアデータは、ページデータ記憶部３００から読み出されると、背景画像（Ｄ）のデータとして取り扱われる。
【００５８】
また、ページ処理部３７は、一旦記憶されたページデータのうちのメディアデータを、背景生成部３４を介して表示重畳部３６に送信することで、映像重畳部２８が背景画像（Ｄ）をディスプレイ３に再度表示させることができる。また、ページ処理部３７は、ページデータのうちのストローク配列データ（各ストロークデータ）を、ストローク処理部３２に戻すことで、ストロークの再度編集ができる状態にすることができる。更に、ページ処理部３７は、ページデータを削除したり複製したりすることもできる。
【００５９】
即ち、ページ処理部３７がページデータ記憶部３００にページデータを記憶する時点でディスプレイ３上に表示されている出力画像（Ｃ）のデータは、一旦、ページデータ記憶部３００に記憶され、その後にページデータ記憶部３００から読み出される際には、背景画像（Ｄ）を示すメディアデータとして読みされる。そして、ページ処理部３７は、ページデータ記憶部３００から読み出したページデータのうち、ストローク画像（Ｂ）を示すストローク配列データを、ストローク処理部３２に出力する。また、ページ処理部３７は、ページデータ記憶部３００から読み出したページデータのうち、背景画像（Ｄ）を示すメディアデータを、背景生成部３４に出力する。
【００６０】
表示重畳部３６は、  画像取得部３１からの出力画像（Ｃ）、ストローク処理部３２からのストローク画像（Ｂ）、ＵＩ画像生成部３３からのＵＩ画像（Ａ）、及び、背景生成部３４からの背景画像（Ｄ）を、レイアウト管理部３５によって指定されたレイアウトにしたがって重畳する。これにより、図６に示されているように、各画像が重なってもユーザが見える順に、ＵＩ画像（Ａ）、ストローク画像（Ｂ）、出力画像（Ｃ）、及び背景画像（Ｄ）の各レイヤの構成となっている。
【００６１】
また、表示重畳部３６は、図６に示されている画像（Ｃ）と画像（Ｄ）を切り替えて、画像（Ａ）及び画像（Ｂ）に対して排他的に重畳することも可能である。例えば、当初、画像（Ａ）、画像（Ｂ）及び画像（Ｃ）が表示されている状態で、電子黒板２と映像出力機器（ノートＰＣ６等）との間のケーブル１０が抜かれた場合には、レイアウト管理部３５の指定によって、画像（Ｃ）を重畳対象から外し、画像（Ｄ）を表示させることができる。この場合に、また、表示重畳部３６は、表示の拡大、表示の縮小、表示領域の移動処理も行う。
【００６２】
ページデータ記憶部３００は、表１に示されているようなページデータを記憶する。
【００６３】
【表１】
0006724358.tif 000002
表１は、ページデータを概念的に示す。ページデータは、ディスプレイ３に表示される１ページ分のデータ（ストローク配列データ（各ストロークデータ）及びメディアデータ）である。なお、ページデータに含まれるパラメータの種類が多いため、ここでは、表１〜表４に分けて、ページデータの内容を説明する。
【００６４】
ページデータは、表１に示されているように、任意の１ページを識別するためのページデータＩＤ、このページの表示を開始した時刻を示す開始時刻、ストロークやジェスチャ等によるページの内容の書き換えが行われなくなった時刻を示す終了時刻、電子ペン４やユーザの手Ｈによるストロークによって生じたストローク配列データを識別するためのストローク配列データＩＤ、及びメディアデータを識別するためのメディアデータＩＤが関連付けて記憶されている。ストローク配列データは、後述の図６に示されているストローク画像（Ｂ）がディスプレイ３上に表示されるためのデータである。メディアデータは、後述の図６に示されている背景画像（Ｄ）がディスプレイ３上に表示されるためのデータである。
【００６５】
このようなページデータにより、例えば、ユーザが電子ペン４によってアルファベット「Ｓ」を描く場合は一筆書きとなるため、ストロークデータＩＤが１つで一文字のアルファベット［Ｓ］が示される。ところが、ユーザが電子ペン４によってアルファベット「Ｔ」を描く場合、二筆書きとなるため、ストロークデータＩＤが２つで一文字のアルファベット「Ｔ」が示されることになる。
【００６６】
【表２】
0006724358.tif 000003
また、ストローク配列データは、表２に示されているように詳細な情報を示している。表２は、ストローク配列データを概念的に示す。表２に示されているように、１つのストローク配列データは、複数のストロークデータによって表される。そして、１つのストロークデータは、このストロークデータを識別するためのストロークデータＩＤ、１つのストロークの書き始めの時刻を示す開始時刻、１つのストロークの書き終わりの時刻を示す終了時刻、ストロークの色、ストロークの幅、及び、ストロークの通過点の配列を識別するための座標配列データＩＤを示している。
【００６７】
【表３】
0006724358.tif 000004
更に、この座標配列データは、表３に示されているように詳細な情報を示している。表３は、座標配列データを概念的に示す。表３に示されているように、座標配列データは、ディスプレイ３上の１点（Ｘ座標値、Ｙ座標値）、この１点を通過したときのストロークの開始時刻からの差分の時刻（ｍｓ）、及び、この１点における電子ペン４の筆圧の各情報を示している。即ち、表３に示されている１点の集まりが、表２に示されている１つの座標配列データで示されている。例えば、ユーザが電子ペン４によってアルファベット「Ｓ」を描く場合、一筆書きとなるが、「Ｓ」を描き終えるまでに、複数の通過点を通過するため、座標配列データは、これら複数の通過点の情報を示している。
【００６８】
また、表１に示されているページデータのうちのメディアデータは、表４に示されているように詳細な情報を示している。
【００６９】
【表４】
0006724358.tif 000005
表４は、メディアデータを概念的に示す。表４に示されているように、メディアデータは、表１に示されているページデータにおけるメディアデータＩＤ、メディアデータのデータ種類、ページ処理部３７からページデータ記憶部３００にページデータが記憶された記録時刻、ページデータによってディスプレイ３上に表示される画像の位置（Ｘ座標値、Ｙ座標値）及び画像のサイズ（幅、高さ）、並びにメディアデータの内容を示すデータが関連付けられて示されている。このうち、ページデータによってディスプレイ３上に表示される画像の位置は、ディスプレイ３の左上端の座標を（Ｘ座標値，Ｙ座標値）＝（０，０）とした場合に、ページデータによって表示される画像の左上端の位置を示している。
【００７０】
また、図４に戻って説明する。遠隔ライセンス管理テーブル３１０は、遠隔共有処理を実行するために必要なライセンスデータを管理する。この遠隔ライセンス管理テーブル３１０では、表５に示されているように、電子黒板２のプロダクトＩＤ、認証に用いられるライセンスＩＤ、及びライセンスの有効期限が関連付けて管理されている。
【００７１】
【表５】
0006724358.tif 000006
（ファイル処理部４０の機能構成）
続いて、図５を用いて、図４に示されているファイル処理部４０の機能構成を説明する。なお、図５は、ファイル処理部４０の機能ブロック図である。ファイル処理部４０は、リカバリ処理部４１、ファイル入力部４２ａ、ファイル出力部４２ｂ、ファイル変換部４３、ファイル送信部４４、アドレス帳入力部４５、バックアップ処理部４６、バックアップ出力部４７、設定管理部４８、設定ファイル入力部４９ａ、及び設定ファイル出力部４９ｂを有している。更に、ファイル処理部４０は、アドレス帳管理テーブル４１０、バックアップデータ記憶部４２０、設定ファイル記憶部４３０、及び接続先管理テーブル４４０を有している。
【００７２】
このうち、リカバリ処理部４１は、電子黒板２が異常終了した後に、異常終了を検知し、未保存のページデータを復旧する。例えば、正常終了の場合は、ページデータがＰＤＦファイルとしてファイル処理部４０を介してＵＳＢ５に記録されるが、電源がダウンした等の異常終了の場合は、ページデータがページデータ記憶部３００に記録されたままになっている。そのため、再び、電源オンになった際に、リカバリ処理部４１は、ページデータ記憶部３００からページデータを読み出すことで復旧させる。
【００７３】
ファイル入力部４２ａは、ＵＳＢメモリ５から、ＰＤＦファイルを読み込み、各ページをページデータとしてページデータ記憶部３００に記憶する。ファイル変換部４３は、ページデータ記憶部３００に記憶されているページデータを、ＰＤＦ形式のファイルに変換する。
【００７４】
ファイル出力部４２ｂは、ファイル変換部４３によって出力されたＰＤＦファイルをＵＳＢメモリ５に記録する。
【００７５】
ファイル送信部４４は、ファイル変換部４３によって生成されたＰＤＦファイルを、電子メールに添付して送信する。このファイルの送信先は、表示重畳部３６によってディスプレイ３上にアドレス帳管理テーブル４１０の内容を表示し、ファイル送信部４４がユーザによるタッチパネル等の入力装置の操作により、宛先の選択を受け付けることによって決定される。アドレス帳管理テーブル４１０には、表６に示されているように、ユーザＩＤ、ユーザ名、ユーザの電子メールのメールアドレス及び部署が関連付けて管理されている。
【００７６】
【表６】
0006724358.tif 000007
また、ファイル送信部４４が、ユーザによるタッチパネル等の入力装置の操作により、宛先としてのメールアドレスの入力を受け付けることもできる。
【００７７】
アドレス帳入力部４５は、ＵＳＢメモリ５からメールアドレスの一覧ファイルを読み込み、アドレス帳管理テーブル４１０に管理する。
【００７８】
バックアップ処理部４６は、ファイル出力部４２ｂによって出力されたファイルや、ファイル送信部４４によって送信されたファイルを、バックアップデータ記憶部４２０に記憶することでバックアップする。なお、ユーザがバックアップ設定しない場合は、バックアップの処理は行われない。バックアップデータは、表７に示されているように、ＰＤＦ形式で記憶される。
【００７９】
【表７】
0006724358.tif 000008
バックアップ出力部４７は、バックアップされたファイルをＵＳＢメモリ５に記憶する。この記憶の際には、ユーザによるタッチパネル等の入力装置の操作により、セキュリティのためにパスコードが入力される。
【００８０】
設定管理部４８は、電子黒板２の各種設定情報を設定ファイル記憶部４３０に記憶したり読み出したりして管理する。この各種設定情報としては、例えば、ネットワーク設定、日付や時刻の設定、地域や言語の設定、メールサーバ１３の設定、アドレス帳の設定、接続先リストの設定、バックアップに関する設定が挙げられる。なお、ネットワーク設定は、例えば、電子黒板２のＩＰアドレスの設定、ネットマスクの設定、デフォルトゲートウェイの設定、又はＤＮＳ(Domain Name System)の設定等である。
【００８１】
設定ファイル出力部４９ｂは、電子黒板２の各種設定情報を、設定ファイルとしてＵＳＢメモリ５に記録させる。なお、設定ファイルはセキュリティによって、ユーザは中身を見ることができない。
【００８２】
設定ファイル入力部４９ａは、ＵＳＢメモリ５に記憶されている設定ファイルを読み込み、各種設定情報を電子黒板の各種設定に反映させる。
【００８３】
アドレス帳入力部５０は、ＵＳＢメモリ５から遠隔共有処理の接続先ＩＰアドレスの一覧ファイルを読み込み、接続先管理テーブル４４０に管理する。接続先管理テーブル４４０の一例を表８に示す。
【００８４】
【表８】
0006724358.tif 000009
接続先管理テーブル４４０は、電子黒板２が遠隔共有処理に参加しようとする参加装置である場合、この参加装置のユーザが主催装置としての役割を果たす電子黒板のＩＰアドレスを入力する手間を削減するために、予め管理しておくためのテーブルである。この接続先管理テーブル４４０では、参加されることが可能な主催装置としての電子黒板２が設置されている拠点の名称、及び主催装置としての電子黒板２のＩＰアドレスが関連付けて管理されている。
【００８５】
なお、接続先管理テーブル４４０は、無くてもよい。但し、この場合には、参加装置のユーザは、主催装置との間で遠隔要求処理の開始するために、タッチパネル等の入力装置によって、主催装置のＩＰアドレスを入力する必要がある。そのため、参加装置のユーザは、電話や電子メール等によって、主催装置のユーザから、主催装置のＩＰアドレスを知得する。
【００８６】
クライアント部２０の通信制御部６０は、自機である電子黒板２のサーバ部９０と（自機が主催装置の場合）、又は、通信ネットワーク９を介して接続された電子黒板２のサーバ部９０と通信する（自機が参加装置の場合）。これにより、サーバ部９０からページデータを取得できる。
【００８７】
また、サーバ部９０はデータ管理部８０と通信制御部７０を有している。データ管理部８０は、操作データや画像データ等を管理するものであり、主催端末又は参加端末のクライアント部に配信されるページデータを管理している。また、サーバ部９０の通信制御部７０は主催端末又は参加端末のクライアント部にページデータを配信する。サーバ部９０と通信制御部６０の機能については本実施形態の説明の必要に応じて適宜説明する。
【００８８】
＜実施形態の処理又は動作＞
続いて、図７及び図８を用いて、本実施形態の処理又は動作について説明する。なお、図７及び図８は、各電子黒板の処理を示したシーケンス図である。図７及び図８に示す実施形態では、電子黒板２ａが遠隔共有処理を主催する主催装置（サーバ部及びクライアント部）としての役割を果たしており、電子黒板２ｂ，２ｃが遠隔共有処理に参加する参加装置（クライアント部）としての役割を果たす場合について説明する。また、ここでは、電子黒板２ａ，２ｂ，２ｃには、それぞれディスプレイ３ａ，３ｂ，３ｃが接続され、更に、それぞれノートＰＣ６ａ，６ｂ，６ｃが接続されている。また、電子黒板２ａ，２ｂ，２ｃでは、それぞれ電子ペン４ａ，４ｂ，４ｃが使用される。
【００８９】
（参加の処理）
まずは、図７を用いて、電子黒板２ｂ，２ｃが遠隔共有処理に参加するための処理について説明する。
【００９０】
ユーザが電子黒板２ａの電源スイッチをオンにすると、電子黒板２ａのクライアント部２０が起動する。そして、ユーザがタッチパネル等の入力装置によってサーバ部９０を起動させる操作をすると、クライアント部２０の通信制御部６０から同じ電子黒板２ａのサーバ部９０における通信制御部７０に、サーバ部９０の処理を開始させる指示を出力する。これにより、電子黒板２ａでは、クライアント部２０だけでなくサーバ部９０も各種処理を開始可能となる（ステップＳ２１）。
【００９１】
次に、電子黒板２ａのクライアント部２０におけるＵＩ画像生成部３３が電子黒板２ａとの接続を確立するための接続情報を生成し、映像重畳部２８が、ＵＩ画像生成部３３から表示重畳部３６を介して得た接続情報をディスプレイ３ａに表示させる（ステップＳ２２）。
【００９２】
この接続情報には、主催装置のＩＰアドレス、及び今回の遠隔共有処理のために生成されたパスコードが含まれている。この場合、データ管理部８０に記憶されているパスコードは、データ管理部８０によって読み出され、通信制御部７０からクライアント部２０の通信制御部６０に送信される。更に、パスコードは、通信制御部６０から画像処理部３０に送信され、最終的にＵＩ画像生成部３３に入力される。これにより、接続情報には、パスコードが含まれる。そして、接続情報は、電子黒板２ａのユーザによって、電話や電子メールにより、電子黒板２ｂ，２ｃのユーザに伝えられる。なお、接続先管理テーブル４４０があれば、接続情報には、主催装置のＩＰアドレスが含まれていなくても、参加装置は参加要求を行うことができる。
【００９３】
次に、電子黒板２ｂ，２ｃでは、各ユーザによるタッチパネル等の入力装置の操作によって接続情報の入力を受け付けると、各電子黒板２ａ，２ｂのクライアント部２０における通信制御部６０が、接続情報のＩＰアドレスに基づき、通信ネットワーク９を介して、電子黒板２ａのサーバ部９０における通信制御部７０に対してパスコードを送信して参加要求を行う（ステップＳ２３，Ｓ２４）。これにより、通信制御部７０は各電子黒板２ｂ，２ｃから、参加要求（パスコードを含む）を受信し、このパスコードをデータ管理部８０に出力する。
【００９４】
次に、データ管理部８０は、各電子黒板２ｂ，２ｃから受信したパスコードに対し、管理しているパスコードを用いて認証する（ステップＳ２５）。
【００９５】
そして、通信制御部７０は、各電子黒板２ｂ，２ｃのクライアント部２０に認証結果を通知する（ステップＳ２６，Ｓ２７）。
【００９６】
ステップＳ２５の認証により、各電子黒板２ｂ，２ｃが正当な電子黒板であると判定されていた場合には、主催装置である電子黒板２ａと、参加装置である電子黒板２ｂ，２ｃとの遠隔共有処理の通信が確立され、各電子黒板２ｂ，２ｃのクライアント部２０における通信制御部６０が、それぞれ他の電子黒板との間の遠隔共有処理の開始を可能にする（ステップＳ２８，Ｓ２９）。
【００９７】
（出力画像の表示）
続いて、図７を用いて、遠隔共有処理における出力画像（Ｃ）が表示される処理について説明する。
【００９８】
まず、電子黒板２ｂは、ディスプレイ３ｂに出力画像（Ｃ）を表示する（ステップＳ３０）。具体的には、電子黒板２ｂの画像取得部３１が、ノートＰＣ６ｂから映像取得部２１を介して、ノートＰＣ６ｂで表示されている出力画像（Ｃ）のデータを受信し、表示重畳部３６及び映像重畳部２８を介してディスプレイ３ｂに送信することで、ディスプレイ３ｂは出力画像（Ｃ）を表示する。
【００９９】
次に、電子黒板２ｂの画像取得部３１を含む画像処理部３０が、通信制御部６０に出力画像（Ｃ）のデータを送信することで、通信制御部６０が通信ネットワーク９を介して、主催装置である電子黒板２ａの通信制御部７０に出力画像（Ｃ）のデータを送信する（ステップＳ３１）。これにより、電子黒板２ａの通信制御部７０は、出力画像（Ｃ）のデータを受信し、データ管理部８０に出力することで、データ管理部８０が出力画像（Ｃ）のデータを記憶する。
【０１００】
次に、主催装置である電子黒板２ａは、ディスプレイ３ａに出力画像（Ｃ）を表示する（ステップＳ３２）。具体的には、電子黒板２ａのデータ管理部８０は、通信制御部７０から受信した出力画像（Ｃ）のデータを、同じ主催装置である電子黒板２ａのクライアント部２０における通信制御部６０に、出力画像（Ｃ）のデータを出力する。通信制御部６０は、表示重畳部３６に出力画像（Ｃ）のデータを出力する。表示重畳部３６は、映像重畳部２８に出力画像（Ｃ）のデータを出力する。映像重畳部２８はディスプレイ３ａに出力画像（Ｃ）のデータを出力する。これにより、ディスプレイ３ａは、出力画像（Ｃ）を表示する。
【０１０１】
次に、主催装置としての電子黒板２ａのサーバ部９０における通信制御部７０は、通信ネットワーク９を介して、出力画像（Ｃ）のデータの送信元である電子黒板２ｂ以外の電子黒板２ｃの通信制御部６０に出力画像（Ｃ）のデータを送信する（ステップＳ３３）。これにより、参加装置である電子黒板２ｃの通信制御部６０は、出力画像（Ｃ）のデータを受信する。
【０１０２】
次に、電子黒板２ｃは、ディスプレイ３ｃに出力画像（Ｃ）を表示する（ステップＳ３４）。具体的には、電子黒板２ｃの通信制御部６０が、上記ステップＳ３３によって受信された出力画像（Ｃ）のデータを、電子黒板２ｃの表示重畳部３６に出力する。表示重畳部３６は、映像重畳部２８に出力画像（Ｃ）のデータを出力する。映像重畳部２８はディスプレイ３ｃに出力画像（Ｃ）のデータを出力する。これにより、ディスプレイ３ｃは、出力画像（Ｃ）を表示する。
【０１０３】
なお、出力画像（Ｃ）のデータだけでなく、ＵＩ画像（Ａ）、及びストローク画像（Ｂ）の各データが、映像重畳部２８に入力されている場合には、表示重畳部３６により、重畳画像（Ａ，Ｂ，Ｃ）が生成され、映像重畳部２８はディスプレイ３ｃに重畳画像（Ａ，Ｂ，Ｃ）のデータを出力する。また、テレビ会議端末７から映像重畳部２８に、テレビ会議用の映像（Ｅ）のデータが送られて来ている場合には、映像重畳部２８は、重畳画像（Ａ，Ｂ，Ｃ）にピクチャーインピクチャーによりテレビ会議用の映像（Ｅ）のデータを重畳して、ディスプレイ３ｃに出力する。
【０１０４】
（重畳画像の表示）
続いて、図８を用いて、遠隔共有処理における重畳画像が表示される処理について説明する。
【０１０５】
まず、電子黒板２ｂは、ユーザが電子ペン４ｂを用いて電子黒板２ｂにストローク画像（Ｂ）を描画する（ステップＳ４１）。
【０１０６】
次に、電子黒板２ｂの表示重畳部３６は、図６に示されているように、ＵＩ画像（Ａ）、及び出力画像（Ｃ）に対して、ストローク画像（Ｂ）を重畳し、映像重畳部２８が電子黒板２ｂのディスプレイ３ｂ上に、重畳された重畳画像（Ａ，Ｂ，Ｃ）を表示させる（ステップＳ４２）。具体的には、電子黒板２ｂのストローク処理部３２が座標検知部２２及び接触検知部２４からイベント振分部２５を介して、操作データとしてのストローク画像（Ｂ）のデータを受信し、表示重畳部３６に送信する。これにより、表示重畳部３６は、ＵＩ画像（Ａ）、及び出力画像（Ｃ）に対して、ストローク画像（Ｂ）を重畳することができ、映像重畳部２８が電子黒板２ｂのディスプレイ３ｂ上に重畳画像（Ａ，Ｂ，Ｃ）を表示させることができる。
【０１０７】
次に、電子黒板２ｂのストローク処理部３２を含む画像処理部３０が、通信制御部６０にストローク画像（Ｂ）のデータを送信することで、電子黒板２ｂの通信制御部６０は、通信ネットワーク９を介して、主催装置である電子黒板２ａの通信制御部７０にストローク画像（Ｂ）のデータを送信する（ステップＳ４３）。
【０１０８】
これにより、電子黒板２ａの通信制御部７０は、ストローク画像（Ｂ）のデータを受信し、データ管理部８０に出力する。このようにして、電子黒板２ｂで描画されたストローク画像（Ｂ）のデータは、描画される度に、主催装置である電子黒板２ａのデータ管理部８０に順次送信される。このストローク画像（Ｂ）のデータは、表１に示されているストロークデータＩＤ毎に示されるデータである。よって、例えば、上記したように、ユーザが電子ペン４によってアルファベット「Ｔ」を描く場合は二筆書きとなるため、２つのストロークデータＩＤのそれぞれで示されるストローク画像（Ｂ）のデータが順次送信される。
【０１０９】
次に、主催装置である電子黒板２ａは、ディスプレイ３ａに、電子黒板２ｂから送られて来たストローク画像（Ｂ）のデータが含まれた重畳画像（Ａ，Ｂ，Ｃ）を表示する（ステップＳ４４）。具体的には、電子黒板２ａのデータ管理部８０は、順次送られて来た複数のストローク画像（Ｂ）のデータを合成して記憶する。これにより、データ管理部８０は、合成後のストローク画像（Ｂ）のデータを、通信制御部７０に出力する。通信制御部７０は、同じ主催装置である電子黒板２ａのクライアント部２０における通信制御部６０に、合成後のストローク画像（Ｂ）のデータを出力する。通信制御部６０は、画像処理部３０における表示重畳部３６に、合成後のストローク画像（Ｂ）のデータを出力する。よって、表示重畳部３６は、ＵＩ画像（Ａ）、及び出力画像（Ｃ）に対して、合成後のストローク画像（Ｂ）を重畳する。最後に、映像重畳部２８が、表示重畳部３６によって重畳された重畳画像（Ａ，Ｂ，Ｃ）をディスプレイ３ａ上に表示させる。
【０１１０】
次に、主催装置としての電子黒板２ａのサーバ部９０における通信制御部７０は、通信ネットワーク９を介して、ストローク画像（Ｂ）のデータの送信元である電子黒板２ｂ以外の電子黒板２ｃの通信制御部６０に、合成後のストローク画像（Ｂ）のデータを送信する（ステップＳ４５）。これにより、参加装置である電子黒板２ｃの通信制御部６０は、合成後のストローク画像（Ｂ）のデータを受信する。
【０１１１】
次に、電子黒板２ｃは、ディスプレイ３ｃに重畳画像（Ａ，Ｂ，Ｃ）を表示する（ステップＳ４６）。具体的には、電子黒板２ｃの通信制御部６０が、上記ステップＳ４５によって受信された合成後のストローク画像（Ｂ）のデータを、電子黒板２ｃの画像処理部３０に出力する。画像処理部３０の表示重畳部３６は、ＵＩ画像（Ａ）、及び出力画像（Ｃ）の各データと、合成後のストローク画像（Ｂ）のデータを重畳し、映像重畳部２８に重畳画像（Ａ，Ｂ，Ｃ）のデータを出力する。映像重畳部２８は、ディスプレイ３ｃに重畳画像（Ａ，Ｂ，Ｃ）のデータを出力する。これにより、ディスプレイ３ｃは、重畳画像（Ａ，Ｂ，Ｃ）を表示する。
【０１１２】
なお、上記処理では、ディスプレイ３上に出力画像（Ｃ）が表示されているが、この出力画像（Ｃ）に代えて、背景画像（Ｄ）を表示してもよい。また、出力画像（Ｃ）と背景画像（Ｄ）との排他的な関係をやめて、出力画像（Ｃ）と背景画像（Ｄ）との両方を同時にディスプレイ３上に表示させてもよい。
【０１１３】
（参加の終了）
続いて、図８を用いて、参加装置が遠隔共有処理への参加を終了する処理について説明する。図８に示す実施形態では、電子黒板２ｃが参加を終了する処理が示されている。
【０１１４】
まず、電子黒板２ｃでは、ユーザによるタッチパネル等の入力装置の操作によって参加の終了要求を受け付けると、通信制御部６０は、主催装置としての電子黒板２ａのサーバ部９０における通信制御部７０に、参加の終了要求を行う（ステップＳ４７）。これにより、通信制御部７０は、電子黒板２ｃから、参加の終了要求を受信し、データ管理部８０に、電子黒板２ｃのＩＰアドレスと共に参加の終了要求を出力する。そして、電子黒板２ａのデータ管理部８０は、通信制御部７０から送られて来たＩＰアドレスに基づいて、参加の終了要求を行った電子黒板２ｃのＩＰアドレス及び電子黒板２ｃが設置されている拠点の名称を削除し、通信制御部７０に、電子黒板２ｃのＩＰアドレス及び削除した旨の通知を出力する。
【０１１５】
次に、通信制御部７０が、通信ネットワーク９を介して、電子黒板２ｃのクライアント部２０における通信制御部６０に、参加の終了を指示する（ステップＳ４８）。これにより、電子黒板２ｃにおける通信制御部６０が、遠隔共有処理の通信を切断することで、参加の終了処理を行うことで、参加が終了する（ステップＳ４９）。
【０１１６】
＜電子黒板の機能について＞
続いて、電子黒板２を使用するユーザと該ユーザが作成したページデータの対応付けについて説明する。
【０１１７】
まず、図９を用いてアカウントサーバ１１のハードウェア構成を説明する。図９は、アカウントサーバ１１のハードウェア構成図の一例である。アカウントサーバ１１は、ＣＰＵ２０１、ＲＯＭ２０２、ＲＡＭ２０３及び補助記憶装置２０４を備える。更に、アカウントサーバ１１は、入力部２０５、表示制御部２０６及び通信部２０７を備える。なお、アカウントサーバ１１の各部は、バス２０８を介して相互に接続されている。したがって、アカウントサーバ１１は情報処理装置としての機能を有する。
【０１１８】
ＣＰＵ２０１は、補助記憶装置２０４に格納された各種プログラム、ＯＳ（Operating System）を実行する。ＲＯＭ２０２は不揮発性メモリである。ＲＯＭ２０２は、補助記憶装置２０４に格納された各種プログラムを、ＣＰＵ２０１が実行するために必要なプログラム、データ等を格納する。
【０１１９】
ＲＡＭ２０３は、ＤＲＡＭ（Dynamic Random Access Memory）やＳＲＡＭ（Static Random Access Memory）等の主記憶装置である。ＣＰＵ２０１によって実行される際に補助記憶装置２０４に格納された各種プログラムがＲＡＭ２０３に展開され、ＲＡＭ２０３はＣＰＵ２０１の作業領域となる。
【０１２０】
補助記憶装置２０４は、ＣＰＵ２０１により実行される各種プログラム及び各種プログラムがＣＰＵ２０１により実行される際に利用される各種データベースを記憶する。補助記憶装置２０４は例えばＨＤＤ（Hard Disk Drive）やＳＳＤ（Solid State Drive）などの不揮発性メモリである。
【０１２１】
入力部２０５は、オペレータがアカウントサーバ１１に各種指示を入力するためのインタフェースである。例えば、キーボード、マウス、タッチパネル、音声入力装置などである。更に、ＵＳＢ Ｉ／Ｆなど記録媒体等の装着部を有していてもよい。
【０１２２】
表示制御部２０６は、ＣＰＵ２０１からの要求により、アカウントサーバ１１が有する各種情報をカーソル、メニュー、ウィンドウ、文字、又は画像などの形態でディスプレイ２１０に表示する。表示制御部２０６は、例えばグラフィックチップやディスプレイＩ／Ｆである。
【０１２３】
通信部２０７は、ネットワークＮを介して、電子黒板２と通信を行うネットワークＩ／Ｆである。
【０１２４】
＜機能について＞
<<電子黒板>>
図１０は、電子黒板２とアカウントサーバ１１の機能ブロック図の一例を示す。図４の機能ブロック図が画像の共有に関するものであるのに対し、図１０の機能ブロック図はユーザと該ユーザが作成したページデータの対応付けに関する機能を示す。
【０１２５】
電子黒板２は、送受信部６１、カード情報読取部６２、ユーザＩＤ取得部６３、操作受付部６４、データ保存部６５、データ再生部６６、及び、記憶読出部６９を有している。これら各部は、図３に示されている各構成要素のいずれかが、ＳＳＤ１０４からＲＡＭ１０３に展開されたプログラムに従ったＣＰＵ１０１からの命令によって動作することで実現される機能、又は提供される手段である。
【０１２６】
また、電子黒板２は、図３に示されているＲＡＭ１０３、ＲＯＭ１０２及びＳＳＤ１０４のいずれかによって構築される記憶部１０００を有している。記憶部１０００には、ユーザデータＤＢ１００１が記憶されている。
【０１２７】
【表９】
0006724358.tif 000010
表９は、電子黒板２の記憶部１０００に構築されるユーザデータＤＢ１００１が有する情報をテーブル状に示す。このテーブルをユーザデータテーブルという。ユーザデータテーブルには、ユーザＩＤに対応付けられたファイル名等が登録されている。ユーザＩＤは上記のようにユーザを一意に特定するための情報である。また、ファイル名はユーザが使用したページデータが格納されたファイルのファイル名である。すなわち、ユーザのログインからログアウトまでの間にユーザがディスプレイ３に手書きしたストローク画像（Ｂ）のデータと出力画像（Ｃ）を含むページデータが例えばＰＤＦファイルとして格納されている。電子黒板２は、ユーザＩＤにより特定されるＰＤＦファイルをユーザデータＤＢ１００１から読み出してディスプレイ３に表示することができる。なお、ファイルのフォーマットはＰＤＦでなくてもよく、汎用性が高いファイルフォーマットである例えばWord（登録商標）、ＸＭＬ（Extensible Markup Language）、などでもよい。
【０１２８】
（電子黒板の機能について）
電子黒板２の送受信部６１は、図３に示したＣＰＵ１０１やネットワークコントローラ１０５等により実現され、アカウントサーバ１１や他の電子黒板２などと各種のデータの送受信を行う。なお、以下では電子黒板２がデータを送受信する場合でも「送受信部６１を介して」という記載を省略する場合がある。
【０１２９】
カード情報読取部６２は、図３に示したＣＰＵ１０１やＲＦタグリーダ１１７等により実現され、ＩＣカード１３０からカード情報を読み出す。カード情報はＩＣカード１３０を特定するための一意の文字、数字、アルファベット等の組み合わせである。
【０１３０】
ユーザＩＤ取得部６３は、図３に示したＣＰＵ１０１等により実現され、カード情報をアカウントサーバ１１に送信することで、アカウントサーバ１１からユーザＩＤを取得する。
【０１３１】
操作受付部６４は、図３に示したＣＰＵ１０１、接触センサ１１５、及び電子ペンコントローラ１１６等により実現され、ユーザからの電子黒板２に対する各種の操作を受け付ける。なお、操作受付部６４は図４の、ストローク処理部３２、操作処理部２６及びジェスチャ処理部２７により兼用されてよい。
【０１３２】
データ保存部６５は、図３に示したＣＰＵ１０１等により実現され、ユーザデータＤＢ１００１にページデータを記憶させる。一例としてはユーザのログアウトを契機にして記憶させるが、どのようなタイミングで記憶させてもよい。
【０１３３】
データ再生部６６は、図３に示したＣＰＵ１０１等により実現され、ユーザデータＤＢ１００１に記憶されているページデータを読み出してディスプレイ３に表示させる。一例として、ログインしたユーザのユーザＩＤがアカウントサーバ１１から取得されるので、ログインした直後又はログインした後であればページデータを表示できる。
【０１３４】
記憶読出部６９は、図３に示されるＣＰＵ１０１等により実現され、記憶部１０００に記憶されている各種データの読み出し、及び、記憶部１０００への各種データの書き込みを行う。なお、以下の説明では、記憶読出部が記憶部１０００に読み書きする場合でも「記憶読出部を介して」という説明を省略する場合がある。
【０１３５】
<<アカウントサーバ１１>>
アカウントサーバ１１は、送受信部８１、ユーザ認証部８２、及び、記憶読出部８９を有している。これら各部は、図９に示されている各構成要素のいずれかが、補助記憶装置２０４からＲＡＭ２０３に展開されたプログラムに従ったＣＰＵ１０１からの命令によって動作することで実現される機能、又は提供される手段である。
【０１３６】
また、アカウントサーバ１１は、図９に示されているＲＯＭ２０２、ＲＡＭ２０３、及び補助記憶装置２０４のいずれかによって構築される記憶部３０００を有している。記憶部３０００には、認証情報ＤＢ３００１が記憶されている。
【０１３７】
【表１０】
0006724358.tif 000011
表１０は、アカウントサーバ１１の記憶部３０００に構築される認証情報ＤＢ３００１が有する情報をテーブル状に示す。このテーブルを認証情報テーブルという。認証情報テーブルには、カード情報、ユーザＩＤ、パスワード及びユーザ名等が登録されている。ＩＣカード１３０を保持しているユーザは本人であると推定されるので、アカウントサーバ１１はカード情報によりユーザ（ユーザＩＤ等）を特定できる。また、パスワードはユーザを認証するために用いられ原則的にユーザしか知らない秘匿情報である。ユーザ名とパスワードの組が認証情報ＤＢ３００１に記憶されている場合、アカウントサーバ１１はユーザの認証が成立したと判定して、ユーザ（ユーザＩＤ等）を特定できる。なお、アカウントサーバ１１が表６のユーザ名、メールアドレス、部署等と有していてもよい。
【０１３８】
（アカウントサーバ１１の機能について）
アカウントサーバ１１の送受信部８１は、図９に示したＣＰＵ２０１や通信部２０７等により実現され、電子黒板２などと各種のデータの送受信を行う。なお、以下ではアカウントサーバ１１がデータを送受信する場合でも「送受信部８１を介して」という記載を省略する場合がある。
【０１３９】
ユーザ認証部８２は、図９に示したＣＰＵ２０１等により実現され、電子黒板２から送信されたカード情報（又はユーザ名とパスワードの組）に対応付けられているユーザＩＤを認証情報ＤＢ３００１から読み出す。このユーザＩＤは電子黒板２に送信される。
【０１４０】
記憶読出部８９は、図９に示されるＣＰＵ２０１等により実現され、記憶部３０００に記憶されている各種データの読み出し、及び、記憶部３０００への各種データの書き込みを行う。なお、以下の説明では、記憶読出部８９が記憶部３０００に読み書きする場合でも「記憶読出部８９を介して」という説明を省略する場合がある。
【０１４１】
＜ユーザの認証＞
まず、図１１を用いてユーザの認証について説明する。図１１はディスプレイ３に表示される認証画面の一例を示す。図１１（ａ）はＩＣカード１３０が用いられるカード認証画面５０１であり、図１１（ｂ）はパスワードが用いられるパスワード認証画面５１１である。
【０１４２】
電子黒板２の電源がＯＮになると、電子黒板２のＵＩ画像生成部３３は図１１（ａ）のカード認証画面５０１を表示する。カード認証画面５０１には、「Please touch your IC card over the card reader（ＩＣカードをリーダにかざしてください）」というメッセージ５０２と、キーボードボタン５０３が表示されている。したがって、ユーザはメッセージ５０２を読むことでＩＣカード１３０をＲＦタグリーダ１１７にかざす必要があることを把握できる。
【０１４３】
ユーザがＩＣカード１３０を携帯していない場合、ユーザはキーボードボタン５０３を指や電子ペン４などのポインティングデバイスで押下する。これにより図１１（ｂ）のパスワード認証画面５１１が表示される。図１１（ｂ）のパスワード認証画面５１１はユーザネーム欄５１２、パスワード欄５１３、ＩＣカードボタン５１４、及び、ログインボタン５１５を有する。ユーザはユーザネーム欄５１２にユーザ名（ユーザＩＤでもよい）を入力し、パスワード欄５１３にパスワードを入力する。そして、ログインボタン５１５が押下されるとユーザＩＤとパスワードがアカウントサーバ１１に送信される。また、ＩＣカードボタン５１４が押下されると図１１（ａ）のカード認証画面５０１が表示される。
【０１４４】
なお、図１１のようにＩＣカード１３０とパスワードのどちらでもユーザの認証が可能な場合でも、ＩＣカード１３０を用いた認証を行うかどうかをユーザが設定できる。以下では、主にＩＣカード１３０を用いた認証について説明する。しかし、パスワードでユーザが認証された場合でもユーザＩＤが特定されるので、電子黒板２は同様にページデータとユーザを対応付けることができる。
【０１４５】
<<認証時の動作>>
図１２は、電子黒板２がＩＣカード１３０を検出してユーザを認証する手順を示すフローチャート図の一例である。図１２の処理は例えば電子黒板２が電源ＯＮになるとスタートする。
【０１４６】
まず、電子黒板２のカード情報読取部６２はＩＣカード１３０を用いた認証を行うように設定されているか否かを判定する（Ｓ１０）。カード情報読取部６２はユーザの設定が記述されている設定ファイル記憶部４３０から設定情報を読み出して判定する。ステップＳ１０の判定がＮｏの場合でも、パスワード認証画面５１１でユーザを認証できる。
【０１４７】
ステップＳ１０の判定がＹｅｓの場合、電子黒板２のＵＩ画像生成部３３は図１１（ａ）のカード認証画面５０１を表示すると共に、ＲＦタグリーダ１１７がＩＣカード１３０を検出してカード情報を取得できたか否かをカード情報読取部６２が判定する（Ｓ２０）。
【０１４８】
ステップＳ２０の判定がＹｅｓの場合、ユーザＩＤ取得部６３はカード情報をアカウントサーバ１１に送信することで認証結果を取得する（Ｓ３０）。認証結果には、認証が成立したことを示す認証ＯＫ（この場合ユーザＩＤが通知される）と認証が成立しないことを示す認証ＮＧがある。このようにして、電子黒板２はユーザＩＤを取得してユーザを特定できる。
【０１４９】
また、ユーザとしてはＩＣカード１３０をＲＦタグリーダ１１７にかざすだけでよいので、ログイン操作が容易であるという利点がある。
【０１５０】
この後、電子黒板２はページ再生処理を行う（Ｓ４０）が、詳細は図１４にて説明する。
【０１５１】
<<ログアウト時の動作>>
図１３は、ユーザがログアウトする手順を示すフローチャート図の一例である。図１３の処理は例えば電子黒板２が電源ＯＮの間、繰り返し実行される。
【０１５２】
電子黒板２のカード情報読取部６２はＲＦタグリーダ１１７がＩＣカード１３０を検出してカード情報を取得できたか否かを判定する（Ｓ１０）。すなわち、ユーザはＩＣカード１３０をＲＦタグリーダ１１７にかざすことでログアウトの操作を行うことができる。
【０１５３】
ステップＳ１０の判定がＹｅｓの場合、電子黒板２の操作受付部６４はユーザがログアウトするという確定操作を行ったか否かを判定する（Ｓ２０）。ユーザはＩＣカード１３０を誤ってＲＦタグリーダ１１７にかざす場合もあるため、ログアウトするかどうかを問い合わせる画面をＵＩ画像生成部３３がディスプレイ３に表示する。操作受付部６４はこの問い合わせに対するユーザの操作を取得する。
【０１５４】
ステップＳ２０の判定がＹｅｓの場合、電子黒板２のデータ保存部６５はページデータ記憶部３００に記憶されているページデータをユーザＩＤに対応付けてユーザデータＤＢ１００１に記憶させる（Ｓ３０）。これにより、ユーザがログアウトの操作を行うことでディスプレイ３に手書きしたストローク画像などを含むページデータをＰＤＦファイルなどで保存しておくことができる。データ保存部６５はページデータをユーザＩＤなどで暗号化してもよい。
【０１５５】
また、ユーザはＩＣカード１３０をかざすだけでログアウトできるため、ログアウトのし忘れを抑制できるという利点がある。また、ログアウトによりページデータを自動的に保存できる。
【０１５６】
なお、ページデータがユーザデータＤＢ１００１に記憶されるタイミングはログアウト時に限られない。例えば、ユーザの操作で記憶してもよいし、新しいページが生成されるごとに記憶してもよいし、定期的に記憶してもよい。
【０１５７】
<<ページ再生処理>>
図１４は、電子黒板２がユーザの認証後にページデータを再生する手順を示すフローチャート図の一例である。図１４のステップＳ１０〜Ｓ３０は図１２と同じであるため、図１２のステップＳ４０のデータ再生処理に相当するステップＳ４１〜Ｓ４４を説明する。また、適宜、図１５を参照して説明する。図１５はディスプレイ３に表示される再生確認画面５２１の一例を示す。
【０１５８】
アカウントサーバ１１からユーザＩＤを取得するとデータ再生部６６はユーザＩＤに対応付いたページデータがあるか否かを判定する（Ｓ４１）。ユーザデータＤＢ１００１にユーザＩＤに対応付いているページデータが登録されているか否かにより判定できる。
【０１５９】
ステップＳ４１の判定がＹｅｓの場合、電子黒板２のデータ再生部６６は再生確認画面５２１をディスプレイに表示する（Ｓ４２）。再生確認画面５２１を図１５に示した。再生確認画面５２１はページデータの再生（再度、表示すること）を行うか否かをユーザに確認する画面である。再生確認画面５２１は、「前回のページを表示しますか」というメッセージ５２２、表示するボタン５２３及び表示しないボタン５２４を有する。したがって、ユーザは前回のページデータを表示するかどうかをログインするだけで選択できる。ユーザは前回のページデータから再開するのか、新しいページデータでストローク画像の手書きを開始するのかを選択できる。
【０１６０】
図１４に戻って説明する。データ再生部６６は、ユーザから再生を受け付けたか否かを判定する（Ｓ４３）。すなわち、再生確認画面５２１で表示するボタン５２３の押下を操作受付部６４が受け付けたか否かを判定する。
【０１６１】
ステップＳ４３の判定がＹｅｓの場合、データ再生部６６はユーザデータＤＢ１００１からユーザＩＤに対応付いているページデータを読み出して、ディスプレイ３に表示する（Ｓ４４）。ステップＳ４３の判定がＮｏの場合、データ再生部６６はページデータをディスプレイ３に表示しない。この場合は、白紙のディスプレイ３が表示される。
【０１６２】
このように、ユーザを認証することで、認証結果を利用してユーザが前回のログイン時に作成したページデータを次回のユーザのログイン時に表示することができる。ユーザは前回作成したページデータから、容易に中断した作業を再開できる。すなわち、座標検知部２２が検知した座標に基づいてイベント振分部２５がストローク処理部３２に振り分けた上記のストロークデータがページデータに重畳して表示される。また、ＰＤＦファイルは画像データとして表示されているので、ユーザによるストロークの削除や修正をストローク処理部３２や操作処理部２６が受け付けることができる。このように、再度の編集が可能になる。
【０１６３】
不特定の者に使用される画像形成装置と対比して説明する。画像形成装置がユーザを認証する場合があるが、該ユーザが次回、認証を受けて画像形成装置を使用する際に、前回使用した（例えばスキャンした）画像データを画像形成装置で表示させるという使用形態は通常行われていない。仮に表示させたとしても画像形成装置ではユーザが中断した作業を再開することを想定できない。
【０１６４】
また、いわゆるプル印刷のように、ユーザがＰＣ等からプリントサーバにユーザＩＤと共に印刷データを登録しておき、画像形成装置にログインして印刷データをプリントサーバから取得することは知られている。しかし、プル印刷においても、データの登録時に画像形成装置がユーザを認証するわけでない。仮に画像形成装置がユーザを認証し印刷データと対応付けたとしても、画像形成装置においてユーザが中断した作業を再開することは想定できない。したがって、本実施形態の電子黒板２の制御を画像形成装置に基づいて想到することは困難であると言える。
【０１６５】
なお、複数のページデータが同じユーザＩＤに対応付いている場合がある。この場合、最後のページデータだけを再生の対象にしてもよいし、ページデータのリストを表示してユーザの選択を受け付けてもよい。ユーザが作業を継続する場合、最後のページデータが対象になる場合が多いと考えられる。一方、電子黒板２がページデータのリストを表示すれば、複数の会議が並行して開催されるような場合もユーザが所望のページデータを選択できる。
【０１６６】
＜複数ユーザに１つのページデータを対応付ける場合＞
電子黒板２は多数のユーザで使用されるため、１つのページデータを複数のユーザが使用したい場合がある。例えば、１回目の会議ではユーザＡが認証を受けユーザＡのユーザＩＤにページデータが対応付けられた。しかし、２回目の会議にユーザＡが出席できない場合、会議の参加者はページデータを再生できない。このような場合に対応するため、電子黒板２は、複数人のユーザのユーザＩＤにページデータを対応付けて記憶することができる。
【０１６７】
図１６に示すように、複数のユーザＩＤにページデータを対応付ける場合、ユーザは所定の操作を行ってユーザＩＤ登録画面５３１をディスプレイ３に表示させる。図１６は、ディスプレイ３に表示されるユーザＩＤ登録画面５３１の一例を示す。ユーザＩＤ登録画面５３１は、「登録したいユーザのＩＣカードをかざしてください。」というメッセージ５３２を有する。
【０１６８】
ユーザＡを起動時に認証されたユーザ、ユーザＢを追加的に認証されるユーザであるとする。ユーザＢはこのメッセージ５３２を見てＩＣカード１３０をかざすことができる。ユーザＢもアカウントサーバ１１により認証され、電子黒板２はユーザＢのユーザＩＤを取得する。そして、ユーザＡが例えばログアウトすると、データ保存部６５がユーザＡとユーザＢのユーザＩＤに対応付けてユーザデータＤＢ１００１にページデータを記憶させる。
【０１６９】
【表１１】
0006724358.tif 000012
表１１は、ユーザデータＤＢ１００１が有するユーザデータテーブルの別の一例を示す。１つのページデータに「００１」と「００４」という２つのユーザＩＤが対応付けられている。電子黒板２は例えばログイン時に「００１」と「００４」のどちらかのユーザＩＤを取得できれば、ページデータを再生する。データ再生時の処理は図１４と同様でよい。
【０１７０】
このように複数のユーザが電子黒板２を使用する場合に、認証を受けた前回の参加者が欠席しても、次回の会議の参加者はページデータをディスプレイ３に表示させることができる。
【０１７１】
次に、本実施例ではユーザに対応付いているページデータを、電子メールで送信する電子黒板２について説明する。
【０１７２】
電子黒板２はメール送信機能を有しており、ユーザが指定する送信先に電子メールを送信することができる。また、電子メールの送信の際、ページデータを電子メールに添付することができる。例えば、ユーザが会議で使用したページデータを、議事録などのために自分（認証されたユーザ）のメールアドレスに送信したり、会議の参加者に送信したりする。
【０１７３】
電子黒板２が電子メールを送信するため、電子メールの送信元のメールアドレスは電子黒板２のものが設定されている。したがって、電子メールを受信した受信者は電子黒板２からの電子メールであることを判断できても、誰が送信したのかを判断できない。このため、電子メールを受信した受信者は、送信したユーザを特定できなかったり、電子メールに添付されたページデータについて誰に相談すればよいか判断しにくくなったりするという不都合がある。
【０１７４】
この不都合を解決するため、メール送信者（認証されたユーザ）が電話などで会議の電子メールを送信したことを参加者等に送信する場合がある。しかし、この場合も電子メールの受信者は、どの電子メールが誰から送信されたものであるか、又は、電子メールと会議の開催日時の対応などを記憶しておく必要があるため、利便性がよくないという不都合がある。
【０１７５】
そこで、本実施例ではユーザＩＤとページデータの対応付けを利用して、電子メールの送信元のメールアドレスを、認証により取得したユーザＩＤに対応付いたメールアドレスに置き換える電子黒板２について説明する。
【０１７６】
＜電子黒板２における電子メールの設定＞
まず、図１７を用いて電子黒板２に対する電子メールの設定について説明する。図１７はディスプレイ３に表示される電子メール設定画面６０１の一例を示す図である。図１７の電子メール設定画面６０１は、電子黒板２の管理者が適宜、設定するものである。
【０１７７】
電子メール設定画面６０１は、サーバアドレス欄６０２、ポートナンバー欄６０３、Sender Email Address欄６０４、認証要求欄６０５、アカウント欄６０６、及び、パスワード欄６０７を有している。サーバアドレス欄６０２はメールサーバ１３のＩＰアドレスが入力される欄であり、ポートナンバー欄６０３はメールサーバ１３が電子メールの受け付けのために開放しているポート番号が入力される欄である。Sender Email Address欄６０４には電子黒板２のメールアドレスが設定される。例えば「iwb1@mail.com」が設定されたものとする。したがって、従来、電子黒板２が電子メールを送信する場合、送信元のメールアドレスは「iwb1@mail.com」であった。
【０１７８】
認証要求欄６０５はメールサーバ１３に認証要求するか否かを設定するための欄である。アカウント欄６０６、及び、パスワード欄６０７はＳＭＴＰ（Send Mail Transfer Protocol）によりメールサーバが電子黒板２を認証するためのアカウント情報である。
【０１７９】
＜本実施例の概略＞
図１８は、電子メールの送信の際の電子黒板２の動作の概略を説明する図の一例である。
（１）ユーザはＩＣカード１３０等で電子黒板２にログインする。これにより、電子黒板２はユーザのユーザＩＤを特定でき、ユーザＩＤに対応付いているこのユーザのメールアドレスを特定できる。
（２）電子黒板２は、電子メールの送信時、送信元に設定されている電子黒板２のメールアドレスをユーザのメールアドレスに置き換える。
（３）ユーザＰＣ１４が電子メールを受信すると、送信元（Mail Sender）にユーザのメールアドレス（nama1@mail.com）が表示される。
【０１８０】
受信者は、電子メールの送信者を特定できるので、誰からページデータが送信されたかを容易に判別できる。また、電子メールを返信する場合、電子黒板２が送信元だと誰も受信しないおそれがあるが、ユーザが送信元なので、受信者はユーザ宛に電子メールを返信することができる。受信者が、例えばページデータを確認して修正等を指示する場合に、宛先を変更する必要がないという利点がある。
【０１８１】
＜機能について＞
<<電子黒板>>
図１９は、本実施例において電子黒板２の機能ブロック図の一例を示す。アカウントサーバ１１の機能は上記と同様でよい。図１９の電子黒板２は図１０の機能に加え、メール送信制御部６７及びメール設定部６８を有する。図１９の説明では、図１０において同一の符号を付した構成要素は同様の機能を果たすので、主に本実施例の主要な構成要素についてのみ説明する場合がある。
【０１８２】
メール送信制御部６７及びメール設定部６８は、図３に示されている各構成要素のいずれかが、ＳＳＤ１０４からＲＡＭ１０３に展開されたプログラムに従ったＣＰＵ１０１からの命令によって動作することで実現される機能、又は提供される手段である。
【０１８３】
また、記憶部１０００には、メール設定情報１００２が記憶されている。メール設定情報１００２には図１６で説明した電子黒板２のメールアドレスを含め、電子メール設定画面６０１で設定された情報が格納されている。
【０１８４】
メール送信制御部６７は、図３に示したＣＰＵ１０１等により実現され、電子メールの送信に関する制御を行う。具体的には、宛先、送信元、件名、本文、及び、ページデータの添付等を行い、ＳＭＴＰにしたがってアカウントサーバ１１に電子メールを送信する。
【０１８５】
メール設定部６８は、図３に示したＣＰＵ１０１等により実現され、ユーザのメールアドレスで送信元のメールアドレスを置き換える。あるいは、ユーザのメールアドレスを送信元に設定する。
【０１８６】
<<ユーザＰＣ>>
ユーザＰＣ１４のハードウェア構成図は図９と同様でよい。ユーザＰＣ１４は、送受信部７１、メール表示部７２、及び、記憶読出部７９を有する。ユーザＰＣ１４が有するこれら各部は、図９に示されている各構成要素のいずれかが、補助記憶装置２０４からＲＡＭ２０３に展開されたプログラムに従ったＣＰＵ１０１からの命令によって動作することで実現される機能、又は提供される手段である。
【０１８７】
また、ユーザＰＣ１４は、図９に示されているＲＯＭ２０２、ＲＡＭ２０３、及び補助記憶装置２０４のいずれかによって構築される記憶部５０００を有している。記憶部５０００には、ユーザＰＣ１４が受信した電子メール等が記憶されている。
【０１８８】
ユーザＰＣ１４の送受信部７１は、図９に示したＣＰＵ２０１や通信部２０７等により実現され、電子黒板２などと各種のデータの送受信を行う。なお、以下ではユーザＰＣ１４がデータを送受信する場合でも「送受信部７１を介して」という記載を省略する場合がある。
【０１８９】
メール表示部７２は、図９に示したＣＰＵ２０１及び表示制御部２０６等により実現され、電子黒板２から送信された電子メールをＰＯＰ３やＩＭＡＰなどのプロトコルで受信しディスプレイ２１０に表示させる。
【０１９０】
記憶読出部７９は、図９に示されるＣＰＵ２０１等により実現され、記憶部５０００に記憶されている各種データの読み出し、及び、記憶部５０００への各種データの書き込みを行う。なお、以下の説明では、記憶読出部７９が記憶部５０００に読み書きする場合でも「記憶読出部７９を介して」という説明を省略する場合がある。
【０１９１】
＜電子メールの送信＞
図２０は電子メールの送信画面６１１の一例を示す図である。例えば、ユーザが電子メールを送信するための操作を行うと操作受付部６４が操作内容を受け付け、ＵＩ画像生成部３３が送信画面６１１を表示する。送信画面６１１は、アドレス帳表示欄６１２、選択表示欄６１３、送信ボタン６１４、及び、キャンセルボタン６１５を有している。
【０１９２】
アドレス帳表示欄６１２には、ログインしたユーザのアドレス帳に登録されたユーザ名、メールアドレス、及び、部署などが表示される。ログインしたユーザＩＤが特定されているので、表６のアドレス帳管理テーブル４１０に登録された情報であれば表示可能である。ユーザはアドレス帳表示欄６１２から電子メールの送信先を指や電子ペン４などのポインティングデバイスで選択できる。
【０１９３】
選択表示欄６１３には、ユーザが選択したユーザのユーザ名とメールアドレスが表示される。ＵＩ画像生成部３３はユーザがアドレス帳表示欄６１２で選択した名前とメールアドレスを選択表示欄６１３に表示する。送信ボタン６１４は、設定された送信先に対する電子メールの送信を受け付けるためのボタンである。
【０１９４】
なお、ユーザは図２０に示すようにアドレス帳表示欄６１２から送信先を選択する他、手入力で送信先のメールアドレスを入力できる。この場合、タブ６１６からタブ６１７に切り替えて、メールアドレスを手で入力すればよい。
【０１９５】
＜メール送信時の動作手順＞
図２１は、電子メールの送信元のメールアドレスを電子黒板２が置き換える手順を示すフローチャート図の一例である。図２１の処理は例えば図２０で送信ボタン６１４が押下されるとスタートする。
【０１９６】
まず、メール送信制御部６７はユーザを認証済みか否かを判定する（Ｓ１０）。ユーザを認証済みでない場合、ユーザＩＤを取得していないのでユーザのメールアドレスやページデータを特定できないためである。
【０１９７】
電子黒板２のメール送信制御部６７は、電子メールに、宛先、送信元、件名、本文、及び、ページデータの添付等を行う（Ｓ２０）。宛先には、図２０でユーザが選択又は手で入力したメールアドレスを設定する。送信元にはメール設定情報１００２に格納されている電子黒板２のメールアドレスを設定する。件名には、定型文とページデータのファイル名を設定する。定型文は例えば「Page contents of IWB：」であり、電子黒板２からの電子メールである旨を含む。ページデータのファイル名に設定されるファイル名には以下の２つのケースがあり得る。１つは、ユーザがログアウトする前であるためページデータがユーザデータＤＢ１００１に記憶されていないケースである。この場合、ページデータ記憶部３００に記憶されているページデータがＰＤＦファイルに変換され、日時などがファイル名として付与されるので該ファイル名が、ページデータのファイル名に設定される。もう１つは、すでにユーザデータＤＢ１００１に記憶されているページデータをユーザが送信するケースである。この場合、ユーザデータＤＢ１００１に記憶されているＰＤＦファイルのファイル名が（複数ある場合は最後のＰＤＦファイル又はユーザが選択したＰＤＦファイル）ページデータのファイル名に設定される。
【０１９８】
本文には特に何も設定しない。添付されるページデータもページデータのファイル名と同様に、ページデータ記憶部３００に記憶されたものと、ユーザデータＤＢ１００１に記憶されたものの２つのケースがある。
【０１９９】
次に、メール送信制御部６７はユーザのメールアドレスを取得できたか否かを判定する（Ｓ３０）。アドレス帳管理テーブル４１０にはユーザＩＤに対応付けてユーザの電子メールのメールアドレスが管理されているが、メールアドレスを登録していないユーザも存在するためである。ステップＳ３０の判定がＮｏの場合、送信元は電子黒板２のメールアドレスが設定されたままである。
【０２００】
ステップＳ３０の判定がＹｅｓの場合、電子黒板２のメール設定部６８は表６のアドレス帳管理テーブル４１０においてログインしたユーザのユーザＩＤに対応付けられているメールアドレスで、ステップ２０で設定した送信元を置き換える（Ｓ４０）。
【０２０１】
そして、電子黒板２のメール送信制御部６７は電子メールをメールサーバ１３に送信する（Ｓ５０）。
【０２０２】
図２２（ａ）は電子メールの受信者のユーザＰＣ１４が表示する電子メールの送信元を示す図の一例である。メール表示部７２は電子メールを受信して図示するように、送信元（Mail Sender）、件名（Subject）、受信日時（Date）などの項目とそれぞれの内容を表示する。なお、本文は省略されている。送信元（Mail Sender）にユーザのメールアドレス（nama1@mail.com）が表示されていることがわかる。このように送信元のメールアドレスを置き換えることで、受信者は電子メールを送信したユーザを特定することができる。受信者が返信操作を行うだけで認証されたユーザ（電子メールを送信した者）に対し電子メールを送信できる。
【０２０３】
図２２（ｂ）は、比較のために示された電子メールの受信者のユーザＰＣ１４が表示する電子メールの送信元を示す図の一例である。送信元（Mail Sender）に電子黒板２のメールアドレス（iwb1@mail.com）が表示されていることがわかる。従来の電子黒板２が電子メールを送信した場合、ユーザが認証済みでない場合、又は、図２１の処理でユーザのメールアドレスを取得できない場合、図２２（ｂ）のように送信元（Mail Sender）が表示される。
【０２０４】
不特定の者に使用される画像形成装置と対比して説明する。画像形成装置では「Scan To E-mail」という機能が知られており、画像形成装置がスキャンした画像データを任意のユーザに送信することができる。しかし、会議の前に資料となる原稿を参加予定者に画像形成装置が送信するとしても、受信者がこの画像データを送信者であるユーザに送信する必要性はほとんどない。会議の後にユーザが資料となる原稿を参加予定者に送信することは通常行われない。電子黒板２では会議で作成されたデータを参加者等に送信することに意味があり、本実施例のメールアドレスの置き換えは画像形成装置のScan To E-mail機能からは想到困難な制御であると言える。  
＜変形例１＞
ユーザが自分以外を宛先にしてページデータを送信する場合、送信元には電子黒板２よりもユーザのメールアドレスが設定されていることが好ましいことはすでに説明した。しかし、ユーザが自分を宛先にしてページデータを送信する場合、送信元に電子黒板２のメールアドレスが設定されていることが好ましい場合がある。まず、ユーザは自分が電子メールを送信したため、送信元が電子黒板２でも受信日時などから自分が送信したページデータであることを把握できる。また、電子黒板２が作成したページデータはＰＤＦファイルであるため任意のユーザＰＣ１４や電子黒板２で再生できるが、ページデータをユーザが編集するにはページデータを作成した電子黒板２で表示することが好ましい。これは、電子黒板２が有する機能でありＰＤＦファイルを作成した電子黒板２はＰＤＦファイルの編集を受け付けるが、自機以外の電子黒板２で作成されたＰＤＦファイルの編集を受け付けない。このような制御は、ＰＤＦファイルに記述された電子黒板２の機器ＩＤの照合により行われる。
【０２０５】
したがって、ユーザが自分を宛先にしてページデータを送信する場合、電子黒板２を特定できるように送信元に電子黒板２のメールアドレスが設定されていることが好ましい。
【０２０６】
まず、図２３を用いて、ユーザが自分だけを宛先にしてページデータを送信する電子メールの送信画面について説明する。
【０２０７】
図２３は電子メールの送信画面の一例を示す図である。図２３の説明においては図２０との相違点を主に説明する。なお、図２３ではユーザ１（Ｕｓｅｒ１）が認証済みのユーザであるものとする。図２０とは異なり選択表示欄６１３にメールを送信するユーザ１のみが表示されている。受信者がユーザ１のみであるため、誰から送られてきたのかを受信者であるユーザ１がわかるようにする必要性が低い。また、上記のように、ページデータを送信するユーザ本人としてはどの電子黒板２から送られてきた電子メールかを区別できるほうが望ましい。そこで、電子黒板２は以下のよう動作する。
【０２０８】
図２４は、電子メールの送信元のメールアドレスを置き換える手順を示すフローチャート図の一例である。図２４の説明では図２１との相違を主に説明する。
【０２０９】
ステップＳ１０〜Ｓ３０の処理は図２１と同様である。ステップＳ３０においてメールアドレスを取得できた場合（Ｓ３０のＹｅｓ）、電子黒板２のメール設定部６８は、宛先が認証されたユーザのみか否かを判定する（Ｓ３２）。まず、メール設定部６８は宛先に設定されたメールアドレスが１つだけか否かを判定する。１つだけの場合、認証されたユーザのユーザＩＤが取得されているので、このユーザＩＤに対応付けられているメールアドレスをアドレス帳管理テーブル４１０から取得する。そして、宛先のメールアドレスと一致するか否かを判定する。
【０２１０】
ステップＳ３２の判定がＹｅｓの場合、処理はステップＳ５０に進むので、送信元はユーザのメールアドレスに置き換えられない。ステップＳ３２の判定がＮｏの場合、処理はステップＳ４０に進むので、送信元はユーザのメールアドレスに置き換えられる。
【０２１１】
宛先が認証されたユーザのみの場合、電子メールを受信した受信者のユーザＰＣ１４には図２２（ｂ）のように電子黒板２のメールアドレスが表示されるので、ユーザはどの電子黒板２であればＰＤＦファイルを編集できるかを判断できる。
【０２１２】
不特定の者に使用される画像形成装置と対比して説明する。画像形成装置ではデータを編集するというフェーズがないので、画像形成装置において同様の制御を行う利点はほとんどない。電子黒板２では外部に送信したデータをユーザが再度編集できるため図２４のような制御が有効となり、本実施形態のメールアドレスの置き換えは画像形成装置のScan To E-mail機能からは想到困難な制御であると言える。
【０２１３】
＜変形例２＞
図２１の処理では、認証されたユーザのメールアドレスがアドレス帳管理テーブル４１０に登録されていない限り、受信者はページデータを送信したユーザを特定できない。そこで、以下のように本文や件名にユーザ名を設定してもよい。
【０２１４】
図２５は、電子メールの送信元のメールアドレスを置き換える手順を示すフローチャート図の一例である。図２５の説明では図２１との相違を主に説明する。
【０２１５】
図２５の処理では、ステップＳ３０でメールアドレスを取得できないと判定された場合（Ｓ３０のＮｏ）、電子黒板２のメール設定部６８は本文又は件名にユーザ名を設定する（Ｓ６０）。アカウントサーバ１１によりユーザ名が特定されているので、又は、ユーザがパスワードと共にユーザ名を入力しているので、電子黒板２にとってユーザ名は既知である。本文又は件名にユーザ名が設定されていることで、送信元が電子黒板２でも受信者はメールを送信したユーザを特定しやすいという利点がある。
【０２１６】
図２７（ａ）は、件名にユーザ名が設定された電子メールを示す図である。受信者は送信元が電子黒板のメールアドレスであるため電子黒板２から送信された電子メールであることを把握できる。また、送信したユーザも特定できる。
【０２１７】
＜変形例３＞
図２１の処理では、送信元をユーザのメールアドレスで置き換えるため、受信者は電子黒板２を特定することが困難である。しかしながら、上記のように電子黒板２が送信元であることでＰＤＦファイルを編集できる電子黒板２を受信者が特定しやすい。そこで、以下のように本文や件名に電子黒板のメールアドレスを設定してもよい。
【０２１８】
図２６は、電子メールの送信元のメールアドレスを置き換える手順を示すフローチャート図の一例である。図２６の説明では図２１との相違を主に説明する。
【０２１９】
図２６の処理では、ステップＳ４２が追加されている。電子黒板２のメール設定部６８は、送信元をユーザのメールアドレスで置き換えると共に、本文又は件名に電子黒板２のメールアドレスを設定する（Ｓ４２）。
【０２２０】
図２７（ｂ）は、件名に電子黒板のメールアドレスが設定された電子メールを示す図である。したがって、受信者はユーザに電子メールを返信することができ、かつ、本文又は件名に電子黒板２のメールアドレスが設定されることで、ＰＤＦファイルを編集できる電子黒板２を特定しやすいという利点がある。
【０２２１】
＜その他の適用例＞
以上、本発明を実施するための最良の形態について実施例を用いて説明したが、本発明はこうした実施例に何等限定されるものではなく、本発明の要旨を逸脱しない範囲内において種々の変形及び置換を加えることができる。
【０２２２】
例えば、アカウントサーバ１１の機能を電子黒板２が有していてもよい。この場合、アカウントサーバ１１が不要になる。
【０２２３】
また、上記の実施形態では、アドレス帳管理テーブル４１０にユーザのメールアドレスが含まれているが、メールアドレスはＩＣカード１３０に入っていてもよい。また、認証が成立した後であれば、ユーザがメールアドレスを手で入力してもよい。
【０２２４】
本実施形態では、電子黒板２という呼称で説明したが、電子黒板２は電子情報ボード、電子ホワイトボード、インタラクティブホワイトボード、などのように呼ばれていてもよい。
【０２２５】
また、本実施形態では電子黒板２を例にして説明したが、不特定多数のものに使用され、データを作成し、該データを継続的に使用する機器に適用されてもよい。
【０２２６】
また、図１０，１９などの構成例は、電子黒板２による処理の理解を容易にするために、主な機能に応じて分割したものである。処理単位の分割の仕方や名称によって本願発明が制限されることはない。電子黒板２の処理は、処理内容に応じて更に多くの処理単位に分割することもできる。また、１つの処理単位が更に多くの処理を含むように分割することもできる。
【０２２７】
また、図１０，１９の記憶部１０００、３０００に図示される各記憶部の１つ以上はネットワーク上に存在していてもよい。
【０２２８】
なお、ユーザ認証部８２は認証手段の一例であり、ユーザＩＤ取得部６３は識別情報取得手段の一例であり、ユーザデータＤＢ１００１は視覚情報記憶手段の一例であり、記憶読出部６９は読出手段の一例であり、データ再生部６６は表示手段又は第１の表示手段の一例であり、メール送信制御部６７は電子メール送信手段の一例であり、メール設定部６８はメール設定手段の一例であり、操作受付部６４は編集受付手段の一例である。アドレス帳管理テーブル４１０はメールアドレス記憶手段の一例であり、メール表示部７２は第２の表示手段の一例である。データ保存部６５は保存手段の一例であり、送受信部７１は受信手段の一例であり、ユーザＰＣ１４は情報端末の一例であり、本実施形態で説明された電子黒板２がページデータを表示する方法は表示方法の一例である。
【符号の説明】
【０２２９】
１          画像処理システム
２          電子黒板
３          ディスプレイ
４          電子ペン
６１        送受信部
６２        カード情報読取部
６３        ユーザＩＤ取得部
６４        操作受付部
６５        データ保存部
６６        データ再生部
６７        メール送信制御部
６８        メール設定部
８２        ユーザ認証部
【先行技術文献】
【特許文献】
【０２３０】
【特許文献１】特開2013-150131号公報
【図１】
0006724358.tif 000013
【図２】
0006724358.tif 000014
【図３】
0006724358.tif 000015
【図４】
0006724358.tif 000016
【図５】
0006724358.tif 000017
【図６】
0006724358.tif 000018
【図７】
0006724358.tif 000019
【図８】
0006724358.tif 000020
【図９】
0006724358.tif 000021
【図１０】
0006724358.tif 000022
【図１１】
0006724358.tif 000023
【図１２】
0006724358.tif 000024
【図１３】
0006724358.tif 000025
【図１４】
0006724358.tif 000026
【図１５】
0006724358.tif 000027
【図１６】
0006724358.tif 000028
【図１７】
0006724358.tif 000029
【図１８】
0006724358.tif 000030
【図１９】
0006724358.tif 000031
【図２０】
0006724358.tif 000032
【図２１】
0006724358.tif 000033
【図２２】
0006724358.tif 000034
【図２３】
0006724358.tif 000035
【図２４】
0006724358.tif 000036
【図２５】
0006724358.tif 000037
【図２６】
0006724358.tif 000038
【図２７】
0006724358.tif 000039